(57)【要約】  画像処理装置（１００）は、少なくとも上下に２分割された元画像（１１０）の入力を受け付ける。画像処理装置（１００）は、入力を受け付けた元画像（１１０）のうち上部の部分画像（１１１）については、第１の本数のダミー画面ライン（１３１）を当該部分画像（１１１）の上部に付加する。画像処理装置（１００）は、入力を受け付けた元画像（１１０）のうち下部の部分画像（１１２）については、第２の本数のダミー画面ライン（１３２）を当該部分画像（１１１）の下部に付加する。画像処理装置（１００）は、ダミー画面ラインを付加した部分画像（１１１，１１２）のそれぞれに対して、ｚ×ｚの符号化処理単位を用いて符号化処理を行う。
2017158850.tif 000002
【特許請求の範囲】
【請求項１】
少なくとも上下に２分割された元画像の入力を受け付け、
入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、
入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、
前記ダミー画面ラインを付加した前記部分画像のそれぞれに対して、前記符号化処理単位を用いて符号化処理を行う、
制御部を有することを特徴とする画像処理装置。
【請求項２】
前記制御部は、
上下に２分割され、かつ、左右に２分割された前記元画像の入力を受け付ける、ことを特徴とする請求項１に記載の画像処理装置。
【請求項３】
前記制御部は、
符号化処理を行った前記部分画像のそれぞれを所定の順序にしたがって結合して、符号化処理を行った前記元画像を生成する、ことを特徴とする請求項１または２に記載の画像処理装置。
【請求項４】
前記制御部は、
符号化処理を行った前記元画像に対応付けて、前記第１の本数と前記第２の本数とを出力する、ことを特徴とする請求項３に記載の画像処理装置。
【請求項５】
前記制御部は、
映像に含まれる複数の前記元画像の入力を受け付け、
符号化処理を行った前記元画像のそれぞれを、前記映像における前記元画像の表示順序にしたがって結合する、ことを特徴とする請求項３または４に記載の画像処理装置。
【請求項６】
前記有効画面ラインの本数は、２１６０本であり、
前記画面ラインの本数は、３２本または６４本であり、
前記制御部は、
入力を受け付けた前記元画像のうち上部の部分画像については、１６本の前記ダミー画面ラインを、当該部分画像の上部に付加し、
入力を受け付けた前記元画像のうち下部の部分画像については、１６本の前記ダミー画面ラインを、当該部分画像の下部に付加する、ことを特徴とする請求項１〜３のいずれか一つに記載の画像処理装置。
【請求項７】
コンピュータが、
少なくとも上下に２分割された元画像の入力を受け付け、
入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、
入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、
前記ダミー画面ラインを付加した前記部分画像のそれぞれに対して、前記符号化処理単位を用いて符号化処理を行う、
処理を実行することを特徴とする画像処理方法。
【発明の詳細な説明】
【技術分野】
【０００１】
本発明は、画像処理装置、および画像処理方法に関する。
【背景技術】
【０００２】
近年、画像が高精細化される傾向があり、４Ｋ２Ｋ（３８４０×２１６０）の画像や８Ｋ４Ｋ（７６８０×４３２０）の画像などが撮影されることがある。また、４Ｋ２Ｋ（３８４０×２１６０）の画像や８Ｋ４Ｋ（７６８０×４３２０）の画像などを水平方向に分割し、複数の符号化処理装置のそれぞれに割り当てて符号化処理を行う技術がある。【０００３】
関連する先行技術としては、例えば、複数の領域に分割された各々の分割映像データの処理について、その分割領域に隣接する領域との画像境界面での画像処理をオーバーラップさせて行うものがある。また、例えば、マルチディスプレイシステムを構成する複数の映像処理装置のそれぞれが、自装置で処理すべき領域についての統計量取得処理を、その期間に画像入力を行っていない他装置と並列に実行する技術がある。また、例えば、任意の画素数から構成される画像データをブロック化して単一の符号化方式により符号化する技術がある。また、例えば、フィルタ処理における１ラインのデータ数および量子化と符号化で走査する１ラインのデータ数を選択的に切り換えることで、比較的小さくかつ使用頻度が高い第２の大きさの画像についてはタイル分割せずに符号化する技術がある。
【先行技術文献】
【特許文献】
【０００４】
【特許文献１】国際公開第２００９／１４７７９５号
【特許文献２】特開２０１５−９６９２０号公報
【特許文献３】特開平７−１９３８０９号公報
【特許文献４】特開２００２−３４４７４７号公報
【発明の概要】
【発明が解決しようとする課題】
【０００５】
しかしながら、上述した従来技術では、撮影された画像に対する符号化処理を効率よく行うことが難しい場合がある。例えば、撮影された画像を上下左右に分割して得られた部分画像が入力された場合には、撮影された画像を水平方向に分割して得られた部分画像に再構成してから符号化処理を行うことになり、符号化処理を効率よく行うことができない場合がある。【０００６】
１つの側面では、本発明は、符号化処理を効率よく行うことができる画像処理装置、および画像処理方法を提供することを目的とする。
【課題を解決するための手段】
【０００７】
本発明の一側面によれば、少なくとも上下に２分割された元画像の入力を受け付け、入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、前記ダミー画面ラインを付加した前記部分画像のそれぞれに対して、前記符号化処理単位によって符号化処理を行う画像処理装置、および画像処理方法が提案される。
【発明の効果】
【０００８】
本発明の一態様によれば、符号化処理を効率よく行うことができるという効果を奏する。
【図面の簡単な説明】
【０００９】
【図１】図１は、実施の形態にかかる画像処理方法の一実施例を示す説明図である。
【図２】図２は、画像処理システム２００の一例を示す説明図である。
【図３】図３は、エンコーダ装置２２１のハードウェア構成例を示すブロック図である。
【図４】図４は、本体部２２２のハードウェア構成例を示すブロック図である。
【図５】図５は、画像処理装置１００の機能的構成例を示すブロック図である。
【図６】図６は、画像処理装置１００が元画像Ｐの入力を受け付ける一例を示す説明図である。
【図７】図７は、画像処理装置１００が元画像Ｐの入力を受け付ける他の例を示す説明図である。
【図８】図８は、画像処理装置１００が符号化処理を行う一例を示す説明図である。
【図９】図９は、エンコーダ装置２２１がダミー画面ラインを付加する詳細を示す説明図である。
【図１０】図１０は、画像処理装置１００がシンタックス１０００を付加する詳細を示す説明図である。
【図１１】図１１は、画像処理装置１００が符号化データを合成する一例を示す説明図である。
【図１２】図１２は、先頭の部分画像の符号化処理手順の一例を示すフローチャートである。
【図１３】図１３は、先頭以外の部分画像の符号化処理手順の一例を示すフローチャートである。
【図１４】図１４は、結合処理手順の一例を示すフローチャートである。
【発明を実施するための形態】
【００１０】
以下に、図面を参照して、本発明にかかる画像処理装置、および画像処理方法の実施の形態を詳細に説明する。
【００１１】
（実施の形態にかかる画像処理方法の一実施例）
図１は、実施の形態にかかる画像処理方法の一実施例を示す説明図である。画像処理装置１００は、元画像１１０に対して符号化処理を行うコンピュータである。元画像１１０とは、例えば、８Ｋ４Ｋの画像などである。８Ｋ４Ｋとは、解像度が７６８０×４３２０であることを示す。以下の説明では、８Ｋ４Ｋを「８Ｋ」と表記する場合がある。
【００１２】
近年では、画像が高精細化される傾向があり、８Ｋの画像などが撮影されることがあるため、撮影された８Ｋの画像に対する符号化処理および復号化処理を実現することが望まれている。しかしながら、以下の（ａ）〜（ｃ）に説明するように、８Ｋの画像に対する符号化処理を実現し、８Ｋの画像に対する符号化処理を効率よく行うことが難しい場合がある。
【００１３】
（ａ）まず、８Ｋの画像に対する符号化処理を行うために、かかる符号化処理を行う専用の符号化処理装置を製造することは、金銭的な観点や市場規模の観点から好ましくないことがある。例えば、放送局の収録機材などに適用する、８Ｋの画像に対する符号化処理を行う専用の符号化処理装置を製造することは、放送局の収録機材などがテレビ受信機などに比べて数が少ないため、金銭的な観点から好ましくないことがある。
【００１４】
（ｂ）これに対し、符号化処理装置が、８Ｋよりも小さい解像度の画像に対する符号化処理を行う複数の演算装置を流用し、８Ｋの画像に対する符号化処理を複数の演算装置に分担させ、８Ｋの画像に対する符号化処理を実現することが考えられる。例えば、８Ｋの画像を４分割して得られた４つの部分画像のそれぞれに対する符号化処理を、４つの演算装置のそれぞれが分担して行うことが考えられる。
【００１５】
具体的には、８Ｋの７６８０×４３２０の画像を、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ）規格にしたがって、３つの７６８０×１０８８の部分画像と１つの７６８０×１０５６の部分画像に分割する。そして、８Ｋの画像を分割して得たそれぞれの部分画像に対する符号化処理を、４つの演算装置のそれぞれが行うことが考えられる。
【００１６】
しかしながら、撮影された８Ｋの画像は、そのまま伝送することが難しいため、８Ｋよりも小さい解像度の部分画像に分割して伝送され、符号化処理装置に入力される傾向がある。例えば、８Ｋの画像をそのまま伝送する規格が存在しないため、８Ｋの画像は、４つの４Ｋ２Ｋの部分画像に分割され、４Ｋ２Ｋの画像を伝送する規格にしたがって伝送される傾向がある。４Ｋ２Ｋとは、解像度が３８４０×２１６０であることを示す。以下の説明では、４Ｋ２Ｋを「４Ｋ」と表記する場合がある。
【００１７】
このように、符号化処理が行われる部分画像の大きさと、伝送される部分画像の大きさとが異なってしまう傾向がある。このため、符号化処理装置は、８Ｋの画像を分割して得られた４つの４Ｋの部分画像の入力を受け付けた後、４つの４Ｋの部分画像からＡＲＩＢ規格に対応する３つの７６８０×１０８８の部分画像と１つの７６８０×１０５６の部分画像を再構成することになる。
【００１８】
結果として、符号化処理装置に、４つの４Ｋの部分画像からＡＲＩＢ規格に対応する３つの７６８０×１０８８の部分画像と１つの７６８０×１０５６の部分画像を再構成する再構成回路を設けることになり、金銭的な観点や導入時の負担から好ましくないことがある。再構成回路は、入力を受け付けた部分画像が大きくなるほど、回路規模が大きくなってしまい、金銭的な観点から好ましくないことがある。また、符号化処理装置が、３つの７６８０×１０８８の部分画像と１つの７６８０×１０５６の部分画像を再構成してから、４つの演算装置に分担させることになり、部分画像が大きくなるほど再構成にかかる時間の増大化を招き、符号化処理を効率よく行うことができない可能性がある。
【００１９】
さらに、ディスプレイシステムが、８Ｋの画像を表示する場合が考えられる。この場合ディスプレイシステムは、８Ｋの画像を４つの４Ｋの部分画像に分割して表示する傾向がある。一方で、ディスプレイシステムは、符号化処理が行われた３つの７６８０×１０８８の部分画像と１つの７６８０×１０５６の部分画像を受信することになり、３つの７６８０×１０８８の部分画像と１つの７６８０×１０５６の部分画像を復号して取得することになる。
【００２０】
このように、ディスプレイシステムが復号する部分画像の大きさと、ディスプレイシステムが表示する部分画像の大きさとが異なってしまう傾向がある。このため、ディスプレイシステムは、３つの７６８０×１０８８の部分画像と１つの７６８０×１０５６の部分画像を復号した後、３つの７６８０×１０８８の部分画像と１つの７６８０×１０５６の部分画像から４つの４Ｋの部分画像を再構成することになる。
【００２１】
結果として、ディスプレイシステムにも、３つの７６８０×１０８８の部分画像と１つの７６８０×１０５６の部分画像の部分画像から４つの４Ｋの部分画像を再構成する再構成回路を設けることになり、金銭的な観点や導入時の負担から好ましくないことがある。また、ディスプレイシステムが、４つの４Ｋの部分画像を再構成してから、８Ｋの画像として表示することになり、部分画像が大きくなるほど再構成にかかる時間の増大化を招き、８Ｋの画像を効率よく表示することができない可能性がある。
【００２２】
（ｃ）また、具体的には、８Ｋの画像を、ＴＩＬＥ分割と呼ばれる分割方法を用いて、４つの４Ｋの部分画像に分割し、４つの４Ｋの部分画像のそれぞれに対する符号化処理を、４つの演算装置のそれぞれが分担して行うことが考えられる。ＴＩＬＥ分割は、例えば、ＨＥＶＣ（Ｈｉｇｈ  Ｅｆｆｉｃｉｅｎｃｙ  Ｖｉｄｅｏ  Ｃｏｄｉｎｇ）規格に定められている。ＴＩＬＥ分割が可能な規格であれば、ＨＥＶＣ規格以外であってもよい。
【００２３】
そして、４つの演算装置によってそれぞれ符号化処理が行われた４Ｋの部分画像を結合して、符号化処理が行われた８Ｋの画像として出力する。これによれば、符号化処理装置は、８Ｋの画像を分割して得られた４つの４Ｋの部分画像の入力を受け付けた後、それぞれの部分画像をそのまま４つの演算装置のそれぞれに分担させてよい。
【００２４】
ここで、符号化処理は、例えば、ＣＴＵ（Ｃｏｄｉｎｇ  Ｔｒｅｅ  Ｕｎｉｔ）と呼ばれる、１６×１６の符号化処理単位、３２×３２の符号化処理単位、または、６４×６４の符号化処理単位のいずれかを用いて行うことができる。そして、符号化処理単位が大きいほど、符号化処理が効率よく行われる傾向がある。このため、比較的大きい符号化処理単位を用いて符号化処理を行うことが望まれる傾向がある。
【００２５】
しかしながら、８Ｋ画像をＴＩＬＥ分割した４Ｋの部分画像に対する符号化処理は、４Ｋ（３８４０×２１６０）の部分画像が３２×３２の符号化処理単位および６４×６４の符号化処理単位では割り切れないため、１６×１６の符号化処理単位を用いて行われることになる。結果として、４Ｋの部分画像に対する符号化処理を効率よく行うことが難しい。
【００２６】
そこで、本実施の形態では、少なくとも上下に２分割された元画像１１０に対して、符号化処理を効率よく行うことができる画像処理方法について説明する。元画像１１０とは、符号化処理が行われる対象である。図１の例では、元画像１１０は、ｙ×ｘの画像である。ｙ×ｘは、横の画素数がｙ、縦の画素数がｘであることを示す。
【００２７】
（１−１）画像処理装置１００は、少なくとも上下に２分割された元画像１１０の入力を受け付ける。ここで、元画像１１０における「上」とは、元画像１１０の符号化方向の複数のラインのうち、符号化順にしたがって先に符号化処理が行われるラインがある側である。元画像１１０における「下」とは、元画像１１０の符号化方向の複数のラインのうち、符号化順にしたがって後に符号化処理が行われるラインがある側である。
【００２８】
図１の例では、カメラなどの撮影機材が、ｙ×ｘの元画像１１０を撮影し、撮影した元画像１１０を上下に２分割し、元画像１１０を分割して得られた２つのｙ×ｘ／２の部分画像１１１，１１２のそれぞれを、画像処理装置１００に送信する。
【００２９】
一方で、画像処理装置１００は、ｙ×ｘの元画像１１０を分割して得られた、２つのｙ×ｘ／２の部分画像１１１，１１２のそれぞれを、カメラから受信する。ここで、ｙ×ｘの元画像１１０を少なくとも上下に分割して得られたそれぞれのｙ×ｘ／２の部分画像１１１，１１２は、所定の符号化処理単位１２０で割り切ることができない可能性がある。例えば、ｘ／２が６４の倍数でなければ、ｙ×ｘ／２の部分画像１１１，１１２は、６４×６４の符号化処理単位１２０で割り切ることができない。
【００３０】
（１−２）画像処理装置１００は、入力を受け付けた元画像１１０のうち上部の部分画像１１１については、第１の本数のダミー画面ライン１３１を当該部分画像１１１の上部に付加する。第１の本数は、上部の部分画像１１１が有する有効画面ラインの本数と、符号化処理の一つの符号化処理単位１２０が有する画面ラインの本数の整数倍との差分になる本数である。ダミー画面ラインとは、上部の部分画像１１１に付加される、上部の部分画像１１１における符号化方向に沿った、幅が１画素分のラインである。
【００３１】
上部の部分画像１１１が有する有効画面ラインとは、上部の部分画像１１１のうち符号化方向に沿った、幅が１画素分のラインである。図１の例では、上部の部分画像１１１が有する有効画面ラインは、上部の部分画像１１１のうち、符号化方向に沿ったｙ×１のライン１１３などであり、ｘ／２本存在することになる。符号化処理単位１２０が有する画面ラインとは、符号化処理単位１２０のうち符号化方向に沿った、幅が１画素分のラインである。図１の例では、符号化処理単位１２０が有する画面ラインは、例えば、ｚ×ｚの符号化処理単位１２０のうち、符号化方向に沿ったｚ×１のライン１２１などであり、ｚ本存在することになる。
【００３２】
このため、図１の例では、第１の本数は、符号化処理単位１２０が有する画面ラインの本数の整数倍をｎｚとすれば、ｎｚ−ｘ／２本になる。換言すれば、第１の本数は、上部の部分画像１１１が有する有効画面ラインの本数に、いくつの本数を加算すれば、符号化処理単位１２０が有する画面ラインの倍数になるかを表現している。
【００３３】
図１の例では、画像処理装置１００は、入力を受け付けた元画像１１０のうち、上部の部分画像１１１の上部に、ｎｚ−ｘ／２本のダミー画面ライン１３１を付加する。これによれば、画像処理装置１００は、ｎｚ−ｘ／２本のダミー画面ライン１３１を付加した後の上部の部分画像１１１が有する有効画面ラインの本数とダミー画面ラインの本数との合計を、符号化処理単位１２０が有する画面ラインの倍数にすることができる。
【００３４】
（１−３）画像処理装置１００は、入力を受け付けた元画像１１０のうち下部の部分画像１１２については、第２の本数のダミー画面ライン１３２を当該部分画像１１２の下部に付加する。第２の本数は、下部の部分画像１１２が有する有効画面ラインの本数と、符号化処理の一つの符号化処理単位１２０が有する画面ラインの本数の整数倍との差分になる本数である。ダミー画面ラインとは、下部の部分画像１１２に付加される、下部の部分画像１１２における符号化方向に沿った、幅が１画素分のラインである。
【００３５】
下部の部分画像１１２が有する有効画面ラインとは、下部の部分画像１１２のうち符号化方向に沿った、幅が１画素分のラインである。図１の例では、下部の部分画像１１２が有する有効画面ラインは、下部のｙ×ｘ／２の部分画像のうち、符号化方向に沿ったｙ×１のライン１１４などであり、ｘ／２本存在することになる。
【００３６】
このため、図１の例では、第２の本数は、符号化処理単位１２０が有する画面ラインの本数の整数倍をｎｚとすれば、ｎｚ−ｘ／２本になる。換言すれば、第２の本数は、下部の部分画像１１２が有する有効画面ラインの本数に、いくつの本数を加算すれば、符号化処理単位１２０が有する画面ラインの倍数になるかを表現している。
【００３７】
図１の例では、画像処理装置１００は、入力を受け付けた元画像１１０のうち、下部の部分画像１１２の下部に、ｎｚ−ｘ／２本のダミー画面ライン１３２を付加する。これによれば、画像処理装置１００は、ｎｚ−ｘ／２本のダミー画面ライン１３２を付加した後の、下部の部分画像１１２が有する有効画面ラインの本数とダミー画面ラインの本数との合計を、符号化処理単位１２０が有する画面ラインの倍数にすることができる。
【００３８】
（１−４）画像処理装置１００は、ダミー画面ラインを付加した部分画像１１１，１１２のそれぞれに対して、ｚ×ｚの符号化処理単位１２０を用いて符号化処理を行う。画像処理装置１００は、例えば、ｎｚ−ｘ／２本のダミー画面ライン１３１を付加した後の上部の部分画像１１１に対して、ｚ×ｚの符号化処理単位１２０によって符号化処理を行う。また、画像処理装置１００は、ｎｚ−ｘ／２本のダミー画面ライン１３２を付加した後の、下部の部分画像１１２に対して、ｚ×ｚの符号化処理単位１２０によって符号化処理を行う。
【００３９】
これによれば、画像処理装置１００は、ダミー画面ラインを付加することにより、符号化処理を行う対象となる部分画像を、符号化処理単位１２０によって割り切れるようにしてから、符号化処理を行うことができる。これにより、画像処理装置１００は、符号化処理単位１２０を大きくしても符号化処理を可能にすることができ、符号化処理を効率よく行うことができる。
【００４０】
具体的には、画像処理装置１００は、８Ｋ専用の符号化処理装置がなくても、４Ｋ対応の符号化処理装置を複数用いて、符号化処理を効率よく行うことが可能な３２×３２や６４×６４の符号化処理単位１２０を活用することができる。このとき、画像処理装置１００は、カメラなどの撮影機材から受信した複数の部分画像同士を結合しなおして、符号化処理が行われる対象となる新たな部分画像を生成しなくてもよく、複数の部分画像同士を結合しなおすための新たな回路を用いなくてよい。これらのことから、画像処理装置１００は、新たな回路を用いなくても、符号化処理単位１２０を大きくして符号化処理を可能にすることができ、符号化処理を効率よく行うことができる。
【００４１】
ここでは、元画像１１０が、少なくとも上下に２分割される場合について説明したが、これに限らない。例えば、元画像１１０は、上下に２分割され、さらに、左右に２分割以上されてもよい。ここで、元画像１１０における「左」とは、元画像１１０の符号化方向のいずれかのラインのうち、符号化順にしたがって先に符号化処理が行われる画素がある側である。元画像１１０における「左」とは、元画像１１０の符号化方向のいずれかのラインのうち、符号化順にしたがって後に符号化処理が行われる画素がある側である。
【００４２】
また、ここでは、元画像１１０が上下に２分割された場合であって、元画像１１０を上下に２分割して得られた部分画像における符号化方向と垂直な方向の大きさが、６４×６４の符号化処理単位１２０などで割り切れない場合について説明したが、これに限らない。例えば、元画像１１０が左右に２分割された場合であって、元画像１１０を左右に２分割して得られた部分画像における符号化方向の大きさが、６４×６４の符号化処理単位１２０などで割り切れない場合があってもよい。
【００４３】
この場合、画像処理装置１００は、元画像１１０を左右に２分割して得られた部分画像のうち、左部の部分画像の左部、または、右部の部分画像の右部に、符号化方向に垂直な方向に沿ったダミー画面の列を付加する。これにより、画像処理装置１００は、符号化処理を効率よく行うことができる。また、この場合、元画像１１０は、さらに、上下に２分割以上されてもよい。
【００４４】
また、例えば、元画像１１０が上下に２分割、かつ、左右に２分割された場合であって、元画像１１０を分割して得られた部分画像における符号化方向の大きさも符号化方向に垂直な方向の大きさも、符号化処理単位１２０で割り切れない場合があってもよい。
【００４５】
この場合、画像処理装置１００は、元画像１１０を分割して得られた部分画像のうち、左上部の部分画像の上部に、符号化方向に沿ったダミー画面ラインを付加し、かつ、左上部の部分画像の左部に、符号化方向に垂直な方向に沿ったダミー画面の列を付加する。同様に、画像処理装置１００は、元画像１１０を分割して得られた部分画像のうち、右上部の部分画像の上部に、符号化方向に沿ったダミー画面ラインを付加し、かつ、右上部の部分画像の右部に、符号化方向に垂直な方向に沿ったダミー画面の列を付加する。
【００４６】
同様に、画像処理装置１００は、元画像１１０を分割して得られた部分画像のうち、左下部の部分画像の下部に、符号化方向に沿ったダミー画面ラインを付加し、かつ、左下部の部分画像の左部に、符号化方向に垂直な方向に沿ったダミー画面の列を付加する。同様に、画像処理装置１００は、元画像１１０を分割して得られた部分画像のうち、右下部の部分画像の下部に、符号化方向に沿ったダミー画面ラインを付加し、かつ、右下部の部分画像の右部に、符号化方向に垂直な方向に沿ったダミー画面の列を付加する。これにより、画像処理装置１００は、符号化処理を効率よく行うことができる。
【００４７】
ここでは、元画像１１０がｙ×ｘの画像である場合について説明したが、これに限らない。例えば、元画像１１０は、８Ｋ（７６８０×４３２０）の画像である。また、例えば、元画像１１０は、８Ｋ以上の解像度であってもよく、１６Ｋ８Ｋ（１５３６０×８６４０）の画像であってもよい。ここでは、符号化処理単位１２０が正方形である場合について説明したが、これに限らない。例えば、符号化処理単位１２０は、長方形であってもよい。
【００４８】
（画像処理システム２００の一例）
次に、図２を用いて、図１に示した画像処理装置１００を適用した、画像処理システム２００の一例について説明する。
【００４９】
図２は、画像処理システム２００の一例を示す説明図である。図２において、画像処理システム２００は、撮影機材２１０と、画像処理装置１００と、復号化処理装置２３０とを含む。画像処理システム２００において、画像処理装置１００と復号化処理装置２３０は、有線または無線のネットワーク２４０を介して接続されていてもよいし、画像処理装置１００内の記録メディアにデータとして記録し、記録メディアを取り出して、復号化処理装置２３０に接続してデータを取り出してもよい。ネットワーク２４０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００５０】
撮影機材２１０は、元画像を撮影し、撮影した元画像を画像処理装置１００に送信する装置である。撮影機材２１０は、例えば、８Ｋの元画像を撮影し、撮影した８Ｋの元画像を４分割して得られたそれぞれの部分画像を、画像処理装置１００が有するそれぞれのエンコーダ装置２２１に専用線を介して送信する。撮影機材２１０は、例えば、カメラである。
【００５１】
画像処理装置１００は、元画像に対する符号化処理を行うコンピュータである。画像処理装置１００は、例えば、８Ｋの元画像を４分割して得られたそれぞれの部分画像を受信し、それぞれの部分画像に対してダミー画面ラインを付加してから符号化処理を行う。画像処理装置１００は、複数のエンコーダ装置２２１と、本体部２２２とを有する。図２の例では、エンコーダ装置２２１は４つである。エンコーダ装置は、例えば、ボードであり、画像処理装置１００のスロットに挿入される。以下の説明では、エンコーダ装置２２１のそれぞれを区別する場合、エンコーダ装置２２１Ａ、エンコーダ装置２２１Ｂ、エンコーダ装置２２１Ｃ、エンコーダ装置２２１Ｄと表記する場合がある。画像処理装置１００は、例えば、放送局の収録機材である。
【００５２】
復号化処理装置２３０は、符号化処理が行われた８Ｋの画像を受信し、符号化処理が行われた８Ｋの画像に対する復号化処理を行い、８Ｋの画像を表示するコンピュータである。復号化処理装置２３０は、例えば、テレビ受信機、屋外ビジョン、デジタルサイネージなどである。ここでは、画像処理装置１００が有するエンコーダ装置２２１が４つである場合について説明したが、これに限らない。例えば、画像処理装置１００は、エンコーダ装置２２１を２つ有していてもよい。
【００５３】
（エンコーダ装置２２１のハードウェア構成例）
次に、図３を用いて、エンコーダ装置２２１のハードウェア構成例について説明する。
【００５４】
図３は、エンコーダ装置２２１のハードウェア構成例を示すブロック図である。図３において、エンコーダ装置２２１は、ＣＰＵ（Ｃｅｎｔｒａｌ  Ｐｒｏｃｅｓｓｉｎｇ  Ｕｎｉｔ）３０１と、メモリ３０２と、映像入力部３０３と、エンコーダブロック３０４とを有する。また、各構成部は、バス３００によってそれぞれ接続される。
【００５５】
ここで、ＣＰＵ３０１は、エンコーダ装置２２１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。メモリ３０２は、さらに、１以上のフレームメモリを有してもよい。フレームメモリは、１画像を格納する専用の記憶領域である。
【００５６】
映像入力部３０３は、専用線を通じて撮影機材２１０に接続される。映像入力部３０３は、例えば、複数の専用線を通じて撮影機材２１０に接続される。映像入力部３０３は、具体的には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）−２．０と呼ばれる伝送規格にしたがって４本のＨＤＭＩケーブルを用いて撮影機材２１０に接続される。ＨＤＭＩは登録商標である。映像入力部３０３は、具体的には、３Ｇ−ＳＤＩ（Ｓｅｒｉａｌ  Ｄｉｇｉｔａｌ  Ｉｎｔｅｒｆａｃｅ）と呼ばれる伝送規格にしたがって１６本の同軸ケーブルを用いて撮影機材２１０に接続されてもよい。また、映像入力部３０３は、３Ｇ−ＳＤＩに代わり、６Ｇ−ＳＤＩや１２Ｇ−ＳＤＩと呼ばれる伝送規格を用いてもよい。そして、映像入力部３０３は、撮影機材２１０と内部のインターフェースを司り、元画像を分割して得られた部分画像のそれぞれの撮影機材２１０からの入力を制御する。エンコーダブロック３０４は、ＨＥＶＣ等の動画像に対する符号化処理を行うことが可能な回路である。
【００５７】
（本体部２２２のハードウェア構成例）
次に、図４を用いて、本体部２２２のハードウェア構成例について説明する。
【００５８】
図４は、本体部２２２のハードウェア構成例を示すブロック図である。図４において、本体部２２２は、ＣＰＵ４０１と、メモリ４０２と、ネットワークＩ／Ｆ４０３と、ディスクＩ／Ｆ４０４と、ディスクドライブ４０５と、を有する。また、各構成部は、バス４００によってそれぞれ接続される。
【００５９】
ここで、ＣＰＵ４０１は、本体部２２２の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００６０】
ネットワークＩ／Ｆ４０３は、通信回線を通じてネットワーク２４０に接続され、ネットワーク２４０を介して他のコンピュータ（例えば、図２に示した復号化処理装置２３０）に接続される。そして、ネットワークＩ／Ｆ４０３は、ネットワーク２４０と内部のインターフェースを司り、他のコンピュータからのデータの入出力を制御する。ネットワークＩ／Ｆ４０３には、例えば、モデムやＬＡＮアダプタなどを採用することができる。
【００６１】
ディスクＩ／Ｆ４０４は、ＣＰＵ４０１の制御にしたがってディスクドライブ４０５に対するデータのリード／ライトを制御する。ディスクドライブ４０５は、例えば、磁気ディスクドライブである。ディスクドライブ４０５は、ディスクＩ／Ｆ４０４の制御で書き込まれたデータを記憶する不揮発の記録メディアである。ディスクドライブ４０５は、例えば、磁気ディスク、光ディスク、ＳＳＤ（Ｓｏｌｉｄ  Ｓｔａｔｅ  Ｄｒｉｖｅ）などを有する。
【００６２】
バス４００は、さらに、複数のエンコーダ装置２２１に接続される。そして、バス４００は、各構成部とエンコーダ装置２２１との入出力に用いられ、エンコーダ装置２２１が部分画像に対して符号化処理を行って得られた符号化データを各構成部に入力可能にする。
【００６３】
本体部２２２は、上述した構成部のほか、例えば、半導体メモリ、キーボード、マウス、ディスプレイなどを有することにしてもよい。
【００６４】
（画像処理装置１００の機能的構成例）
次に、図５を用いて、画像処理装置１００の機能的構成例について説明する。
【００６５】
図５は、画像処理装置１００の機能的構成例を示すブロック図である。画像処理装置１００は、入力部５０１と、付加部５０２と、符号化部５０３と、結合部５０４とを含む。
【００６６】
入力部５０１〜符号化部５０３は、制御部となる機能であり、例えば、図３に示したメモリ３０２に記憶されたプログラムをＣＰＵ３０１に実行させることにより、または、映像入力部３０３により、その機能を実現する。入力部５０１〜符号化部５０３の処理結果は、例えば、メモリ３０２に記憶される。
【００６７】
結合部５０４は、制御部となる機能であり、例えば、図４に示したメモリ４０２、ディスクドライブ４０５などの記憶領域に記憶されたプログラムをＣＰＵ４０１に実行させることにより、または、ネットワークＩ／Ｆ４０３により、その機能を実現する。結合部５０４の処理結果は、例えば、メモリ４０２、ディスクドライブ４０５などの記憶領域に記憶される。
【００６８】
入力部５０１は、少なくとも上下に２分割された元画像の入力を受け付ける。元画像とは、符号化処理が行われる対象である。元画像は、例えば、８Ｋの画像などである。元画像は、具体的には、８Ｋの映像に含まれるそれぞれの画像である。入力部５０１は、例えば、撮影された映像に含まれる複数の元画像のそれぞれであって、少なくとも上下に２分割された元画像の入力を受け付ける。
【００６９】
ここで、具体的には、撮影機材２１０が、８Ｋの元画像を撮影し、８Ｋの元画像を少なくとも上下に２分割して得られた２つの７６８０×２１６０の画像を、画像処理装置１００に送信することが考えられる。一方で、入力部５０１は、具体的には、８Ｋの元画像を上下に２分割して得られた２つの７６８０×２１６０の画像を、撮影機材２１０から受信する。これにより、入力部５０１は、符号化処理が行われる対象となる元画像を入力することができる。
【００７０】
また、入力部５０１は、上下に２分割され、かつ、左右に２分割された元画像の入力を受け付けてもよい。入力部５０１は、例えば、映像に含まれる複数の元画像のそれぞれであって、上下に２分割され、かつ、左右に２分割された元画像の入力を受け付ける。
【００７１】
ここで、具体的には、撮影機材２１０が、８Ｋの元画像を撮影し、８Ｋの元画像を上下に２分割し、かつ、左右に２分割して得られた４つの４Ｋの部分画像を、画像処理装置１００に送信することが考えられる。一方で、入力部５０１は、具体的には、８Ｋの元画像を上下に２分割し、かつ、左右に２分割して得られた４つの４Ｋの部分画像を、撮影機材２１０から受信する。これにより、入力部５０１は、符号化処理が行われる対象となる元画像を入力することができる。
【００７２】
付加部５０２は、入力部５０１が入力を受け付けた元画像のうち上部の部分画像については、第１の本数のダミー画面ラインを当該部分画像の上部に付加する。第１の本数は、上部の部分画像が有する有効画面ラインの本数と、符号化処理の一つの符号化処理単位が有する画面ラインの本数の整数倍との差分になる本数である。ダミー画面ラインとは、上部または下部の部分画像に付加される、上部または下部の部分画像における符号化方向に沿った、幅が１画素分のラインである。上部の部分画像が有する有効画面ラインとは、上部の部分画像のうち符号化方向に沿った、幅が１画素分のラインである。符号化処理単位が有する画面ラインとは、符号化処理単位のうち符号化方向に沿った、幅が１画素分のラインである。
【００７３】
付加部５０２は、例えば、上部の部分画像が有する有効画面ラインの本数が２１６０本であり、符号化処理単位が有する画面ラインの本数が３２本または６４本である場合について、１６本のダミー画面ラインを上部の部分画像の上部に付加する。付加部５０２は、具体的には、上部の４Ｋ（３８４０×２１６０）の部分画像の上部に、１６本のダミー画面ラインを付加することにより、ダミー画面ラインを付加した後の、上部の３８４０×２１７６の部分画像を生成する。
【００７４】
これにより、付加部５０２は、３２×３２の符号化処理単位、または、６４×６４の符号化処理単位で割り切ることが可能なように上部の３８４０×２１７６の部分画像を生成することができ、符号化処理を効率よく行うことができるようにする。
【００７５】
付加部５０２は、入力部５０１が入力を受け付けた元画像のうち下部の部分画像については、第２の本数のダミー画面ラインを当該部分画像の下部に付加する。第２の本数は、下部の部分画像が有する有効画面ラインの本数と、当該部分画像が有する有効画面ラインの本数より大きい、符号化処理の一つの符号化処理単位が有する画面ラインの本数の整数倍との差分になる本数である。下部の部分画像が有する有効画面ラインとは、下部の部分画像のうち符号化方向に沿った、幅が１画素分のラインである。
【００７６】
付加部５０２は、例えば、下部の部分画像が有する有効画面ラインの本数が２１６０本であり、符号化処理単位が有する画面ラインの本数が３２本または６４本である場合について、１６本のダミー画面ラインを下部の部分画像の上部に付加する。付加部５０２は、具体的には、下部の４Ｋ（３８４０×２１６０）の部分画像の下部に、１６本のダミー画面ラインを付加することにより、ダミー画面ラインを付加した後の、下部の３８４０×２１７６の部分画像を生成する。
【００７７】
これにより、付加部５０２は、３２×３２の符号化処理単位、または、６４×６４の符号化処理単位で割り切ることが可能なように下部の３８４０×２１７６の部分画像を生成することができ、符号化処理を効率よく行うことができるようにする。
【００７８】
符号化部５０３は、ダミー画面ラインを付加した部分画像のそれぞれに対して、符号化処理単位によって符号化処理を行う。符号化部５０３は、例えば、ダミー画面ラインを付加した部分画像のそれぞれに対して、３２×３２の符号化処理単位、または、６４×６４の符号化処理単位によって符号化処理を行う。
【００７９】
符号化部５０３は、具体的には、ダミー画面ラインを付加した後の、上部の３８４０×２１７６の部分画像に対して、３２×３２の符号化処理単位、または、６４×６４の符号化処理単位によって符号化処理を行う。また、画像処理装置１００は、ダミー画面ラインを付加した後の、下部の３８４０×２１７６の部分画像に対して、３２×３２の符号化処理単位、または、６４×６４の符号化処理単位によって符号化処理を行う。これにより、符号化部５０３は、符号化処理を効率よく行うことができる。
【００８０】
結合部５０４は、符号化部５０３が符号化処理を行って生成された部分画像に対応するビットストリームを所定の順序にしたがって結合して、元画像に対応するビットストリームを生成する。所定の順序は、例えば、元画像のうち、左上の部分画像、右上の部分画像、左下の部分画像、右下の部分画像の順序である。これにより、結合部５０４は、符号化処理が行われた部分画像のそれぞれを、元画像ごとにまとめることができる。
【００８１】
結合部５０４は、符号化処理を行った元画像に対応付けて、第１の本数と第２の本数とを出力する。符号化部５０３もしくは結合部５０４は、例えば、符号化処理が行われた元画像に、第１の本数と第２の本数とをシンタックスとして付加して出力する。これにより、復号化処理の際に元画像から、ダミー画面ラインを除去した元画像を復号可能にすることができる。
【００８２】
結合部５０４は、符号化処理を行った元画像のそれぞれを、映像における元画像の表示順序にしたがって結合する。これにより、結合部５０４は、符号化処理が行われた映像を生成することができ、符号化処理が行われた映像をメモリ４０２、ディスクドライブ４０５などに記憶し、または、復号化処理装置２３０に送信することができる。
【００８３】
（画像処理装置１００の動作の流れの一例）
次に、図６〜図１０を用いて、画像処理装置１００の動作の流れの一例について説明する。
【００８４】
図６は、画像処理装置１００が元画像Ｐの入力を受け付ける一例を示す説明図である。図６において、撮影機材２１０は、８Ｋの映像を撮影し、８Ｋの映像に含まれるｎ個の８Ｋの元画像Ｐのそれぞれを上下に２分割し、かつ、左右に２分割して、４つの４Ｋの部分画像Ａ〜Ｄを生成する。
【００８５】
以下の説明では、映像のうち何枚目の元画像Ｐであるかを区別する場合には、元画像Ｐを「元画像Ｐ（ｉ）」と表記する場合がある。ｉは、元画像Ｐが何枚目かを示す値である。ｉは、１〜ｎである。以下の説明では、部分画像Ａ〜Ｄがｎ個の元画像Ｐのうち何枚目の元画像Ｐを分割して生成された部分画像であるかを区別する場合には、部分画像Ａ〜Ｄを「部分画像Ａ（ｉ）〜Ｄ（ｉ）」と表記する場合がある。
【００８６】
そして、撮影機材２１０は、８Ｋの元画像Ｐごとに、生成された４つの４Ｋの部分画像Ａ〜Ｄのうちエンコーダ装置２２１Ａ〜２２１Ｄのそれぞれが担当する４Ｋの部分画像を、エンコーダ装置２２１Ａ〜２２１Ｄのそれぞれに専用線を介して送信する。ここで、エンコーダ装置２２１Ａ〜２２１Ｄのそれぞれは、元画像Ｐのうち担当領域が設定されており、担当領域に対応する部分画像を担当する。撮影機材２１０は、具体的には、ＨＤＭＩ−２．０と呼ばれる伝送規格にしたがって、エンコーダ装置２２１Ａ〜２２１Ｄのそれぞれに接続されたＨＤＭＩケーブルを用いて、４Ｋの部分画像Ａ〜Ｄのそれぞれを送信する。
【００８７】
エンコーダ装置２２１Ａは、自装置が担当する４Ｋの部分画像Ａを、撮影機材２１０から専用線を介して受信する。また、エンコーダ装置２２１Ｂは、自装置が担当する４Ｋの部分画像Ｂを、撮影機材２１０から専用線を介して受信する。また、エンコーダ装置２２１Ｃは、自装置が担当する４Ｋの部分画像Ｃを、撮影機材２１０から専用線を介して受信する。また、エンコーダ装置２２１Ｄは、自装置が担当する４Ｋの部分画像Ｄを、撮影機材２１０から専用線を介して受信する。これにより、エンコーダ装置２２１Ａ〜２２１Ｄは、自装置が担当する４Ｋの部分画像を受信することができる。ここで、図７の説明に移行する。
【００８８】
図７は、画像処理装置１００が元画像Ｐの入力を受け付ける他の例を示す説明図である。図７において、撮影機材２１０は、８Ｋの映像を撮影し、８Ｋの映像に含まれるｎ個の８Ｋの元画像Ｐのそれぞれを上下に４分割、かつ、左右に４分割して、１６個のＦｕｌｌＨＤ（Ｈｉｇｈ  Ｄｅｆｉｎｉｔｉｏｎ  ｖｉｄｅｏ）の部分画像Ａ１〜Ｄ４を生成する。そして、撮影機材２１０は、８Ｋの元画像Ｐごとに、エンコーダ装置２２１Ａ〜２２１Ｄのそれぞれが担当する４つのＦｕｌｌＨＤの部分画像を、エンコーダ装置２２１Ａ〜２２１Ｄのそれぞれに４本の専用線を介して送信する。撮影機材２１０は、具体的には、３Ｇ−ＳＤＩと呼ばれる伝送規格にしたがって、エンコーダ装置２２１Ａ〜２２１Ｄのそれぞれに接続された同軸ケーブルを用いて、４Ｋの部分画像Ａ〜Ｄのそれぞれを送信する。
【００８９】
エンコーダ装置２２１Ａは、自装置が担当するＦｕｌｌＨＤの部分画像Ａ１〜Ａ４のそれぞれを、撮影機材２１０から４本の専用線を介して受信する。エンコーダ装置２２１Ａは、受信したＦｕｌｌＨＤの部分画像Ａ１〜Ａ４を結合し、自装置が担当する４Ｋの部分画像Ａを生成する。エンコーダ装置２２１Ｂは、自装置が担当するＦｕｌｌＨＤの部分画像Ｂ１〜Ｂ４のそれぞれを、撮影機材２１０から４本の専用線を介して受信する。エンコーダ装置２２１Ｂは、受信したＦｕｌｌＨＤの部分画像Ｂ１〜Ｂ４を結合し、自装置が担当する４Ｋの部分画像Ｂを生成する。
【００９０】
エンコーダ装置２２１Ｃは、自装置が担当するＦｕｌｌＨＤの部分画像Ｃ１〜Ｃ４のそれぞれを、撮影機材２１０から４本の専用線を介して受信する。エンコーダ装置２２１Ｃは、受信したＦｕｌｌＨＤの部分画像Ｃ１〜Ｃ４を結合し、自装置が担当する４Ｋの部分画像Ｃを生成する。エンコーダ装置２２１Ｄは、自装置が担当するＦｕｌｌＨＤの部分画像Ｄ１〜Ｄ４のそれぞれを、撮影機材２１０から４本の専用線を介して受信する。エンコーダ装置２２１Ｄは、受信したＦｕｌｌＨＤの部分画像Ｄ１〜Ｄ４を結合し、自装置が担当する４Ｋの部分画像Ｄを生成する。
【００９１】
これにより、エンコーダ装置２２１Ａ〜２２１Ｄは、自装置が担当する４Ｋの部分画像を生成することができる。ここで、図６または図７のように、エンコーダ装置２２１Ａ〜２２１Ｄが、自装置が担当する４Ｋの部分画像を受信または生成したとして、図８の説明に移行する。
【００９２】
図８は、画像処理装置１００が符号化処理を行う一例を示す説明図である。図８において、エンコーダ装置２２１Ａは、自装置が担当する４Ｋの部分画像Ａの上部に、１６本のダミー画面ラインを付加する。エンコーダ装置２２１Ａは、ダミー画面ラインを付加した後の部分画像Ａに対して、６４×６４の符号化処理単位を用いて符号化処理を行う。エンコーダ装置２２１Ａは、ダミー画面ラインを付加した後の部分画像Ａに対して符号化処理を行って得られた符号化データｅＡに、シンタックスを付加する。このように、エンコーダ装置２２１Ａは、元画像Ｐごとに符号化データｅＡを生成することになる。
【００９３】
以下の説明では、符号化データｅＡが、何枚目の元画像Ｐを分割して生成された部分画像Ａから得られた符号化データであるかを区別する場合には、符号化データｅＡを「符号化データｅＡ（ｉ）」と表記する場合がある。そして、エンコーダ装置２２１Ａは、符号化データｅＡ（１）〜ｅＡ（ｎ）を符号化データｅＡ（１）から順番に、４Ｋビットストリームとして合成部８００に出力する。
【００９４】
また、エンコーダ装置２２１Ｂは、自装置が担当する４Ｋの部分画像Ｂの上部に、１６本のダミー画面ラインを付加する。エンコーダ装置２２１Ｂは、ダミー画面ラインを付加した後の部分画像Ｂに対して、６４×６４の符号化処理単位を用いて符号化処理を行う。エンコーダ装置２２１Ｂは、ダミー画面ラインを付加した後の部分画像Ｂに対して符号化処理を行って得られた符号化データｅＢに、シンタックスを付加する。このように、エンコーダ装置２２１Ｂは、元画像Ｐごとに符号化データｅＢを生成することになる。
【００９５】
以下の説明では、符号化データｅＢが、何枚目の元画像Ｐを分割して生成された部分画像Ｂから得られた符号化データであるかを区別する場合には、符号化データｅＢを「符号化データｅＢ（ｉ）」と表記する場合がある。そして、エンコーダ装置２２１Ｂは、符号化データｅＢ（１）〜ｅＢ（ｎ）を符号化データｅＢ（１）から順番に、４Ｋビットストリームとして合成部８００に出力する。
【００９６】
また、エンコーダ装置２２１Ｃは、自装置が担当する４Ｋの部分画像Ｃの下部に、１６本のダミー画面ラインを付加する。エンコーダ装置２２１Ｃは、ダミー画面ラインを付加した後の部分画像Ｃに対して、６４×６４の符号化処理単位を用いて符号化処理を行う。エンコーダ装置２２１Ｃは、ダミー画面ラインを付加した後の部分画像Ｃに対して符号化処理を行って得られた符号化データｅＣに、シンタックスを付加する。このように、エンコーダ装置２２１Ｃは、元画像Ｐごとに符号化データｅＣを生成することになる。
【００９７】
以下の説明では、符号化データｅＣが、何枚目の元画像Ｐを分割して生成された部分画像Ｃから得られた符号化データであるかを区別する場合には、符号化データｅＣを「符号化データｅＣ（ｉ）」と表記する場合がある。そして、エンコーダ装置２２１Ｃは、符号化データｅＣ（１）〜ｅＣ（ｎ）を符号化データｅＣ（１）から順番に、４Ｋビットストリームとして合成部８００に出力する。
【００９８】
また、エンコーダ装置２２１Ｄは、自装置が担当する４Ｋの部分画像Ｄの下部に、１６本のダミー画面ラインを付加する。エンコーダ装置２２１Ｄは、ダミー画面ラインを付加した後の部分画像Ｄに対して、６４×６４の符号化処理単位を用いて符号化処理を行う。エンコーダ装置２２１Ｄは、ダミー画面ラインを付加した後の部分画像Ｄに対して符号化処理を行って得られた符号化データｅＤに、シンタックスを付加する。このように、エンコーダ装置２２１Ｄは、元画像Ｐごとに符号化データｅＤを生成することになる。
【００９９】
以下の説明では、符号化データｅＤが、何枚目の元画像Ｐを分割して生成された部分画像Ｄから得られた符号化データであるかを区別する場合には、符号化データｅＤを「符号化データｅＤ（ｉ）」と表記する場合がある。そして、エンコーダ装置２２１Ｄは、符号化データｅＤ（１）〜ｅＤ（ｎ）を符号化データｅＤ（１）から順番に、４Ｋビットストリームとして合成部８００に出力する。ここで、図９の説明に移行し、エンコーダ装置２２１がダミー画面ラインを付加する詳細について説明する。
【０１００】
図９は、エンコーダ装置２２１がダミー画面ラインを付加する詳細を示す説明図である。図９の例では、説明の簡略化のため、エンコーダ装置２２１Ａを例に挙げて説明する。エンコーダ装置２２１Ｂ，２２１Ｃ，２２１Ｄは、エンコーダ装置２２１Ａと同様であるため、詳細な説明を省略する。図９において、エンコーダ装置２２１Ａは、映像入力部９０１と、ダミー生成部９０２とを含む。
【０１０１】
映像入力部９０１は、８Ｋの映像に含まれる８Ｋの元画像Ｐを上下に２分割し、かつ、左右に２分割して得られた４つの４Ｋの部分画像のうち、エンコーダ装置２２１Ａが担当する４Ｋの部分画像Ａを撮影機材２１０から受信する。そして、映像入力部９０１は、４Ｋの部分画像Ａを、符号化処理が行われる対象となる３８４０×２１７６の部分画像を格納するメモリ３０２に用意された記憶領域のうち、先頭から始まるダミー画面ラインを格納する記憶領域を除いた残余の記憶領域に格納する。これにより、映像入力部９０１は、符号化処理が行われる対象となる部分画像の入力を受け付けることができる。
【０１０２】
エンコーダ装置２２１Ｂにおける映像入力部９０１は、エンコーダ装置２２１Ａにおける映像入力部９０１と同様である。エンコーダ装置２２１Ｃにおける映像入力部９０１は、例えば、４Ｋの部分画像Ｃを、符号化処理が行われる対象となる３８４０×２１７６の部分画像を格納するメモリ３０２に用意された記憶領域の先頭から格納する。エンコーダ装置２２１Ｄにおける映像入力部９０１は、エンコーダ装置２２１Ｃにおける映像入力部９０１と同様である。
【０１０３】
ダミー生成部９０２は、エンコーダ装置２２１Ａが担当する部分画像Ａに、ダミー画面ラインを付加する。ダミー生成部９０２は、例えば、１６本のダミー画面ラインを、符号化処理が行われる対象となる３８４０×２１７６の部分画像を格納するメモリ３０２の記憶領域のうち、先頭から始まるダミー画面ラインを格納する記憶領域に格納する。
【０１０４】
このとき、ダミー生成部９０２は、例えば、ダミー画面ラインとして、黒色を示す画素を並べたラインを用いることができる。また、ダミー生成部９０２は、例えば、ダミー画面ラインとして、黒色以外の色を示す画素を並べたラインを用いることができる。ダミー生成部９０２は、映像入力部９０１が部分画像を格納する前に、ダミー画面ラインを格納していてもよい。
【０１０５】
また、ダミー生成部９０２は、さらに、メモリ３０２から読み出したデータをマスクする回路を有してもよい。そして、ダミー生成部９０２は、符号化処理が行われる対象となる部分画像をメモリ３０２から読み出す際に、符号化処理が行われる対象となる部分画像のうちダミー画面ラインに対応する部分を、黒色を示す画素に置換してもよい。
【０１０６】
また、ダミー生成部９０２は、さらに、メモリ３０２からの読み出し先を変更する回路を有してもよい。そして、ダミー生成部９０２は、符号化処理が行われる対象となる部分画像をメモリ３０２から読み出す際に、符号化処理が行われる対象となる部分画像のうちダミー画面ラインを読み出す際には、ダミー画面ラインに隣接する有効画面ラインを読み出してもよい。これにより、ダミー生成部９０２は、３２×３２の符号化処理単位、または、６４×６４の符号化処理単位で割り切ることが可能なように、３８４０×２１７６の部分画像を生成することができ、符号化処理を効率よく行うことができるようにする。
【０１０７】
エンコーダ装置２２１Ｂにおけるダミー生成部９０２は、エンコーダ装置２２１Ａにおけるダミー生成部９０２と同様である。エンコーダ装置２２１Ｃにおけるダミー生成部９０２は、例えば、１６本のダミー画面ラインを、符号化処理が行われる対象となる３８４０×２１７６の部分画像を格納するメモリ３０２の記憶領域のうち末尾にあるダミー画面ラインを格納する記憶領域に格納する。エンコーダ装置２２１Ｄにおけるダミー生成部９０２は、エンコーダ装置２２１Ｃにおけるダミー生成部９０２と同様である。
【０１０８】
そして、エンコーダ装置２２１Ａは、ダミー画面ラインを付加した後の、エンコーダ装置２２１Ａが担当する部分画像に対して符号化処理を行う。エンコーダ装置２２１Ａは、ダミー画面ラインについては、画質が劣化してもよいため、データ量を抑えるように符号化処理を行うなどの特殊な処理をしてもよい。
【０１０９】
エンコーダ装置２２１Ａは、例えば、符号化処理が行われる対象となる３８４０×２１７６の部分画像を格納するメモリ３０２に用意された記憶領域を指定して、エンコーダブロック３０４に符号化処理を指示する。これにより、エンコーダ装置２２１Ａは、符号化処理を効率よく行うことができる。
【０１１０】
このように、画像処理装置１００は、具体的には、エンコーダ装置２２１Ａ〜２２１Ｄのそれぞれが有する映像入力部９０１によって入力部５０１の機能を実現している。また、画像処理装置１００は、具体的には、エンコーダ装置２２１Ａ〜２２１Ｄのそれぞれが有する映像入力部９０１とダミー生成部９０２とによって付加部５０２の機能を実現している。ここで、図１０の説明に移行し、シンタックス１０００を付加する詳細について説明する。
【０１１１】
図１０は、画像処理装置１００がシンタックス１０００を付加する詳細を示す説明図である。シンタックス１０００は、ＨＥＶＣ規格によって定められた、復号化処理を行う際や映像を表示する際に用いられる情報である。
【０１１２】
エンコーダ装置２２１Ａ〜２２１Ｄは、合成部８００において符号化データを結合することを考慮して符号化データにシンタックス１０００を付加する。エンコーダ装置２２１Ａ〜２２１Ｄは、合成部８００において符号化データを結合することを考慮せずに符号化データにシンタックス１０００を付加しておき、合成部８００において符号化データを結合する際にシンタックス１０００を書き換えるようにしてもよい。
【０１１３】
シンタックス１０００は、ＶＰＳ（Ｖｉｄｅｏ  Ｐａｒａｍｅｔｅｒ  Ｓｅｔ）、ＳＰＳ（Ｓｅｑｕｅｎｃｅ  Ｐａｒａｍｅｔｅｒ  Ｓｅｔ）、ＰＰＳ（Ｐｉｃｔｕｒｅ  Ｐａｒａｍｅｔｅｒ  Ｓｅｔ）、スライスを有する。ＶＰＳおよびＳＰＳは、映像全体に関する情報である。ＰＰＳは、元画像Ｐ１枚１枚に関し、元画像Ｐをどのように分割したかに関する情報である。スライスは、元画像Ｐにおける部分画像の位置に関する情報である。
【０１１４】
図１０において、エンコーダ装置２２１Ａは、担当する部分画像Ａに対して符号化処理を行って得られた符号化データｅＡに、シンタックス１０００Ａを付加する。エンコーダ装置２２１Ａは、例えば、担当する部分画像Ａが先頭であり、部分画像Ａ〜Ｄの先頭として結合されるため、８Ｋの元画像Ｐに応じたＶＰＳ、ＳＰＳ、ＰＰＳを含むシンタックス１０００Ａを付加する。ここで、ＶＰＳについては、説明を省略する。
【０１１５】
シンタックス１０００ＡのＳＰＳは、元画像Ｐが８Ｋ（７６８０×４３２０）であることを示し、復号化処理の後には、上部の１６本のダミー画面ラインと下部の１６本のダミー画面ラインを除去すれば元画像Ｐが得られることを示す。
【０１１６】
具体的には、「ｐｉｃ＿ｗｉｄｔｈ＿ｉｎ＿ｌｕｍａ＿ｓａｍｐｌｅｓ＝７６８０（０ｘ１ｅ００）」と「ｐｉｃ＿ｈｅｉｇｈｔ＿ｉｎ＿ｌｕｍａ＿ｓａｍｐｌｅｓ＝４３２０（０ｘ１０ｅ０）」とは、元画像Ｐの大きさを示す。
【０１１７】
また、「ｃｏｎｆｏｒｍａｎｃｅ＿ｗｉｎｄｏｗ＿ｆｌａｇ＝ｔｒｕｅ」は、復号化処理の際に、除去すべき部分があることを示す。また、「ｃｏｎｆ＿ｗｉｎ＿ｌｅｆｔ＿ｏｆｆｓｅｔ＝０」と「ｃｏｎｆ＿ｗｉｎ＿ｒｉｇｈｔ＿ｏｆｆｓｅｔ＝０」とは、左右には除去すべき画面の列がないことを示す。
【０１１８】
また、「ｃｏｎｆ＿ｗｉｎ＿ｔｏｐ＿ｏｆｆｓｅｔ＝１６」は、上部に１６本の除去すべき画面ラインがあることを示し、復号化処理の後に上部の１６本のラインを除去することを示す。また、「ｃｏｎｆ＿ｗｉｎ＿ｂｏｔｔｏｍ＿ｏｆｆｓｅｔ＝１６」は、下部に１６本の除去すべき画面ラインがあることを示し、復号化処理の後に下部の１６本のラインを除去することを示す。
【０１１９】
これにより、復号化処理装置２３０は、復号化処理を行って得られた７６８０×４３５２の画像に対して、上下の１６本のダミー画面ラインを除いた、内側の８Ｋ（７６８０×４３２０）の画像を、元画像Ｐとして認識することができる。
【０１２０】
シンタックス１０００ＡのＰＰＳは、元画像Ｐを上下に２分割し、かつ、左右に２分割したことを示す。具体的には、「ｔｉｌｅｓ＿ｅｎａｂｌｅｄ＿ｆｌａｇ＝ｔｒｕｅ」は、タイル分割したこと示す。
【０１２１】
また、「ｅｎｔｒｏｐｙ＿ｃｏｄｉｎｇ＿ｓｙｎｃ＿ｅｎａｂｌｅｄ＿ｆｌａｇ＝ｆａｌｓｅ」については説明を省略する。また、「ｎｕｍ＿ｔｉｌｅ＿ｃｏｌｕｍｎｓ＿ｍｉｎｕｓ１＝１」は、水平方向に何回分割したかを示す。また、「ｎｕｍ＿ｔｉｌｅ＿ｒｏｗｓ＿ｍｉｎｕｓ１＝１」は、垂直方向に何回分割したかを示す。
【０１２２】
また、「ｕｎｉｆｏｒｍ＿ｓｐａｃｉｎｇ＿ｆｌａｇ＝ｔｒｕｅ」は、等分割したか否かを示す。また、「ｌｏｏｐ＿ｆｉｌｔｅｒ＿ａｃｒｏｓｓ＿ｔｉｌｅｓ＿ｅｎａｂｌｅｄ＿ｆｌａｇ＝ｆａｌｓｅ」は、部分画像間の境界などについてループフィルタを用いるか否かを示す。また、「ｌｏｏｐ＿ｆｉｌｔｅｒ＿ａｃｒｏｓｓ＿ｓｌｉｃｅｓ＿ｅｎａｂｌｅｄ＿ｆｌａｇ＝ｆａｌｓｅ」は、部分画像間の境界などについてループフィルタを用いるか否かを示す。
【０１２３】
シンタックス１０００ＡのＳｌｉｃｅは、元画像Ｐにおける部分画像Ａの位置を示す。具体的には、「ｆｉｒｓｔ＿ｓｌｉｃｅ＿ｓｅｇｍｅｎｔ＿ｉｎ＿ｐｉｃ＿ｆｌａｇ＝ｔｒｕｅ」は、元画像Ｐにおいて部分画像Ａが先頭であることを示す。また、「ｎｕｍ＿ｅｎｔｒｙ＿ｐｏｉｎｔ＿ｏｆｆｓｅｔｓ＝０」は、元画像Ｐにおける部分画像Ａの左上位置を、６４×６４の符号化処理単位の数で示す。
【０１２４】
エンコーダ装置２２１Ｂは、担当する部分画像Ｂに対して符号化処理を行って得られた符号化データｅＢに、シンタックス１０００Ｂを付加する。シンタックス１０００Ｂは、ＶＰＳ、ＳＰＳ、ＰＰＳを含まなくてよい。
【０１２５】
シンタックス１０００ＢのＳｌｉｃｅは、元画像Ｐにおける部分画像Ｂの位置を示す。具体的には、「ｆｉｒｓｔ＿ｓｌｉｃｅ＿ｓｅｇｍｅｎｔ＿ｉｎ＿ｐｉｃ＿ｆｌＢｇ＝ｆａｌｓｅ」は、元画像Ｐにおいて部分画像Ｂが先頭であることを示す。「ｎｕｍ＿ｅｎｔｒｙ＿ｐｏｉｎｔ＿ｏｆｆｓｅｔｓ＝６０」は、元画像Ｐにおける部分画像Ｂの左上位置を、６４×６４の符号化処理単位の数で示す。また、「ｎｕｍ＿ｅｎｔｒｙ＿ｐｏｉｎｔ＿ｏｆｆｓｅｔｓ＝０」については、説明を省略する。
【０１２６】
エンコーダ装置２２１Ｃは、担当する部分画像Ｃに対して符号化処理を行って得られた符号化データｅＣに、シンタックス１０００Ｃを付加する。シンタックス１０００Ｃは、ＶＰＳ、ＳＰＳ、ＰＰＳを含まなくてよい。
【０１２７】
シンタックス１０００ＣのＳｌｉｃｅは、元画像Ｐにおける部分画像Ｃの位置を示す。具体的には、「ｆｉｒｓｔ＿ｓｌｉｃｅ＿ｓｅｇｍｅｎｔ＿ｉｎ＿ｐｉｃ＿ｆｌＣｇ＝ｆａｌｓｅ」は、元画像Ｐにおいて部分画像Ｃが先頭であることを示す。「ｎｕｍ＿ｅｎｔｒｙ＿ｐｏｉｎｔ＿ｏｆｆｓｅｔｓ＝４０８０」は、元画像Ｐにおける部分画像Ｃの左上位置を、６４×６４の符号化処理単位の数で示す。また、「ｎｕｍ＿ｅｎｔｒｙ＿ｐｏｉｎｔ＿ｏｆｆｓｅｔｓ＝０」については、説明を省略する。
【０１２８】
エンコーダ装置２２１Ｄは、担当する部分画像Ｄに対して符号化処理を行って得られた符号化データｅＤに、シンタックス１０００Ｄを付加する。シンタックス１０００Ｄは、ＶＰＳ、ＳＰＳ、ＰＰＳを含まなくてよい。
【０１２９】
シンタックス１０００ＤのＳｌｉｃｅは、元画像Ｐにおける部分画像Ｄの位置を示す。具体的には、「ｆｉｒｓｔ＿ｓｌｉｃｅ＿ｓｅｇｍｅｎｔ＿ｉｎ＿ｐｉｃ＿ｆｌＤｇ＝ｆａｌｓｅ」は、元画像Ｐにおいて部分画像Ｄが先頭であることを示す。「ｎｕｍ＿ｅｎｔｒｙ＿ｐｏｉｎｔ＿ｏｆｆｓｅｔｓ＝４１４０」は、元画像Ｐにおける部分画像Ｄの左上位置を、６４×６４の符号化処理単位の数で示す。また、「ｎｕｍ＿ｅｎｔｒｙ＿ｐｏｉｎｔ＿ｏｆｆｓｅｔｓ＝０」については、説明を省略する。
【０１３０】
これにより、画像処理装置１００は、復号化処理装置２３０が、復号化処理を行った後に、元画像Ｐを得るために除去すべき上部の１６本のダミー画面ラインと下部の１６本のダミー画面ラインとを把握可能なようにすることができる。ここで、図１１の説明に移行する。
【０１３１】
図１１は、画像処理装置１００が符号化データを合成する一例を示す説明図である。図１１において、画像処理装置１００は、合成部８００を含む。合成部８００は、１枚目の元画像Ｐ（１）を基に得られた部分画像Ａ（１）、Ｂ（１）、Ｃ（１）、Ｄ（１）のそれぞれに対応する符号化データｅＡ（１）、ｅＢ（１）、ｅＣ（１）、ｅＤ（１）を順番に結合する。これにより、合成部８００は、１枚目の元画像Ｐ（１）に符号化処理が行われた結果に対応する結合データｅＰ（１）を生成する。合成部８００は、同様に、２枚目以降の元画像Ｐ（２）〜Ｐ（ｎ）についても、２枚目以降の元画像Ｐ（２）〜Ｐ（ｎ）に符号化処理が行われた結果に対応する結合データｅＰ（２）〜ｅＰ（ｎ）を生成する。
【０１３２】
合成部８００は、元画像Ｐ（１）〜Ｐ（ｎ）に符号化処理が行われた結果に対応する結合データｅＰ（１）〜ｅＰ（ｎ）を、１枚目の元画像Ｐ（１）に符号化処理が行われた結果に対応する結合データｅＰ（１）から順番に、８Ｋビットストリームとして出力する。これにより、合成部８００は、８Ｋの映像に対応する８Ｋビットストリームを出力することができる。
【０１３３】
ここでは、説明の簡略化のため、元画像Ｐの順番と、８Ｋビットストリームの順番とが一致するようにしたが、これに限らない。例えば、ＨＥＶＣ規格のリオーダ手法を用いる場合には、元画像Ｐの順番と、８Ｋビットストリームの順番とが異なっていてもよい。
【０１３４】
これにより、画像処理装置１００は、８Ｋの映像に対応する８Ｋビットストリームを、復号化処理装置２３０に送信して、表示させることができる。復号化処理装置２３０は、受信した８Ｋの映像に対応する８Ｋビットストリームに基づいて、８Ｋの画像ごとに４つの４Ｋの画像を復号することができる。
【０１３５】
このため、復号化処理装置２３０は、４つの７６８０×１０８８の部分画像から４つの４Ｋの部分画像を再構成する再構成回路を有さなくてもよい。そして、復号化処理装置２３０は、復号した４つの４Ｋの画像に基づいて８Ｋの画像を表示することができ、８Ｋの画像を効率よく表示することができる。このように、画像処理装置１００は、具体的には、合成部８００によって結合部５０４の機能を実現している。
【０１３６】
（先頭の部分画像の符号化処理手順の一例）
次に、図１２を用いて、エンコーダ装置２２１が実行する先頭の部分画像の符号化処理手順の一例について説明する。
【０１３７】
図１２は、先頭の部分画像の符号化処理手順の一例を示すフローチャートである。図１２において、エンコーダ装置２２１Ａは、初期設定を行う（ステップＳ１２０１）。エンコーダ装置２２１Ａは、具体的には、初期設定として、メモリ３０２に、符号化処理が行われる対象となる３８４０×２１７６の部分画像を格納する記憶領域を用意する。
【０１３８】
エンコーダ装置２２１Ａは、初期設定として、用意した記憶領域の先頭からダミー画面ラインを格納し、映像入力された画像のうち担当領域の部分画像がダミー画面ラインに上書きせずに続けて書き込まれるように、当該部分画像を書き込む位置を設定する。また、初期設定は、各種処理に用いる変数のクリア、ハードウェアやソフトウェアに関する設定のクリアなどを含んでもよい。
【０１３９】
次に、エンコーダ装置２２１Ａは、エンコーダ装置２２１Ｂ，２２１Ｃ，２２１Ｄのステータスをチェックする（ステップＳ１２０２）。そして、エンコーダ装置２２１Ａは、エンコーダ装置２２１Ｂ，２２１Ｃ，２２１Ｄのステータスが起動であるか否かを判定する（ステップＳ１２０３）。ここで、エンコーダ装置２２１Ｂ，２２１Ｃ，２２１Ｄのいずれかのステータスが起動ではない場合（ステップＳ１２０３：Ｎｏ）、エンコーダ装置２２１Ａは、ステップＳ１２０２の処理に戻る。
【０１４０】
一方で、エンコーダ装置２２１Ｂ，２２１Ｃ，２２１Ｄのステータスが起動である場合（ステップＳ１２０３：Ｙｅｓ）、エンコーダ装置２２１Ａは、映像入力をチェックする（ステップＳ１２０４）。そして、エンコーダ装置２２１Ａは、有効映像が開始したか否かを判定する（ステップＳ１２０５）。ここで、有効映像が開始していない場合（ステップＳ１２０５：Ｎｏ）、エンコーダ装置２２１Ａは、ステップＳ１２０４の処理に戻る。
【０１４１】
一方で、有効映像が開始した場合（ステップＳ１２０５：Ｙｅｓ）、エンコーダ装置２２１Ａは、エンコーダ装置２２１Ｂ，２２１Ｃ，２２１Ｄに起動指示を送信する（ステップＳ１２０６）。次に、エンコーダ装置２２１Ａは、映像入力をチェックする（ステップＳ１２０７）。そして、エンコーダ装置２２１Ａは、有効映像のうち有効画像が１枚取り込み完了したか否かを判定する（ステップＳ１２０８）。ここで、取り込み完了していない場合（ステップＳ１２０８：Ｎｏ）、エンコーダ装置２２１Ａは、ステップＳ１２０７の処理に戻る。
【０１４２】
一方で、取り込み完了した場合（ステップＳ１２０８：Ｙｅｓ）、エンコーダ装置２２１Ａは、担当領域の１枚分の部分画像に対して符号化処理を行う（ステップＳ１２０９）。このとき、エンコーダ装置２２１Ａは、符号化処理を行った部分画像にシンタックスを付加してもよい。
【０１４３】
次に、エンコーダ装置２２１Ａは、本体部２２２からの終了指示をチェックする（ステップＳ１２１０）。そして、エンコーダ装置２２１Ａは、終了指示がされたか否かを判定する（ステップＳ１２１１）。ここで、終了指示がされていない場合（ステップＳ１２１１：Ｎｏ）、エンコーダ装置２２１Ａは、ステップＳ１２０７の処理に戻る。
【０１４４】
一方で、終了指示がされた場合（ステップＳ１２１１：Ｙｅｓ）、エンコーダ装置２２１Ａは、エンコーダ装置２２１Ｂ，２２１Ｃ，２２１Ｄに終了指示を送信する（ステップＳ１２１２）。次に、エンコーダ装置２２１Ａは、担当領域の終端処理を実行する（ステップＳ１２１３）。エンコーダ装置２２１Ａは、終端処理として、終了指示がされたとしても、処理すべきデータが残っていれば処理する。エンコーダ装置２２１Ａは、具体的には、リオーダ等に伴う後処理を行う。
【０１４５】
そして、エンコーダ装置２２１Ａは、先頭の部分画像の符号化処理を終了する。これにより、エンコーダ装置２２１Ａは、担当する部分画像にダミー画面ラインを付加して、担当する部分画像に対して符号化処理を効率よく行うことができる。エンコーダ装置２２１Ａは、上述した各処理を、パイプラインで並列に実行してもよい。
【０１４６】
（先頭以外の部分画像の符号化処理手順の一例）
次に、図１３を用いて、エンコーダ装置２２１が実行する先頭以外の部分画像の符号化処理手順の一例について説明する。
【０１４７】
図１３は、先頭以外の部分画像の符号化処理手順の一例を示すフローチャートである。図１３において、エンコーダ装置２２１Ｂは、初期設定を行う（ステップＳ１３０１）。エンコーダ装置２２１Ｂは、具体的には、初期設定として、メモリ３０２に、符号化処理が行われる対象となる３８４０×２１７６の部分画像を格納する記憶領域を用意する。
【０１４８】
エンコーダ装置２２１Ｂは、初期設定として、用意した記憶領域の先頭からダミー画面ラインを格納し、映像入力された画像のうち担当領域の部分画像がダミー画面ラインに上書きせずに続けて書き込まれるように、当該部分画像を書き込む位置を設定する。また、初期設定は、各種処理に用いる変数のクリア、ハードウェアやソフトウェアに関する設定のクリアなどを含んでもよい。
【０１４９】
次に、エンコーダ装置２２１Ｂは、エンコーダ装置２２１Ｂのステータスを、起動に設定する（ステップＳ１３０２）。そして、エンコーダ装置２２１Ｂは、映像入力をチェックする（ステップＳ１３０３）。そして、エンコーダ装置２２１Ｂは、有効映像が開始したか否かを判定する（ステップＳ１３０４）。ここで、有効映像が開始していない場合（ステップＳ１３０４：Ｎｏ）、エンコーダ装置２２１Ｂは、ステップＳ１３０３の処理に戻る。
【０１５０】
一方で、有効映像が開始した場合（ステップＳ１３０４：Ｙｅｓ）、エンコーダ装置２２１Ｂは、エンコーダ装置２２１Ａからの起動指示をチェックする（ステップＳ１３０５）。そして、エンコーダ装置２２１Ｂは、起動指示があるか否かを判定する（ステップＳ１３０６）。起動指示がない場合（ステップＳ１３０６：Ｎｏ）、エンコーダ装置２２１Ｂは、ステップＳ１３０３の処理に戻る。
【０１５１】
一方で、起動指示がある場合（ステップＳ１３０６：Ｙｅｓ）、エンコーダ装置２２１Ｂは、映像入力をチェックする（ステップＳ１３０７）。そして、エンコーダ装置２２１Ｂは、有効映像のうち有効画像が１枚取り込み完了したか否かを判定する（ステップＳ１３０８）。ここで、取り込み完了していない場合（ステップＳ１３０８：Ｎｏ）、エンコーダ装置２２１Ｂは、ステップＳ１３０７の処理に戻る。
【０１５２】
一方で、取り込み完了した場合（ステップＳ１３０８：Ｙｅｓ）、エンコーダ装置２２１Ｂは、担当領域の１枚分の部分画像に対して符号化処理を行う（ステップＳ１３０９）。このとき、エンコーダ装置２２１Ａは、符号化処理を行った部分画像にシンタックスを付加してもよい。
【０１５３】
次に、エンコーダ装置２２１Ｂは、エンコーダ装置２２１Ａからの終了指示をチェックする（ステップＳ１３１０）。そして、エンコーダ装置２２１Ｂは、終了指示がされたか否かを判定する（ステップＳ１３１１）。ここで、終了指示がされていない場合（ステップＳ１３１１：Ｎｏ）、エンコーダ装置２２１Ｂは、ステップＳ１３０７の処理に戻る。
【０１５４】
一方で、終了指示がされた場合（ステップＳ１３１１：Ｙｅｓ）、エンコーダ装置２２１Ｂは、担当領域の終端処理を実行する（ステップＳ１３１２）。エンコーダ装置２２１Ｂは、終端処理として、終了指示がされたとしても、処理すべきデータが残っていれば処理する。エンコーダ装置２２１Ｂは、具体的には、リオーダ等に伴う後処理を行う。
【０１５５】
そして、エンコーダ装置２２１Ｂは、先頭以外の部分画像の符号化処理を終了する。エンコーダ装置２２１Ｃ，２２１Ｄの処理は、エンコーダ装置２２１Ｂの処理と同様であるため、初期設定を除き説明を省略する。
【０１５６】
エンコーダ装置２２１Ｃ，２２１Ｄは、初期設定として、用意した記憶領域の末尾にダミー画面ラインを格納し、映像入力された画像のうち担当領域の部分画像が、用意した記憶領域の先頭から書き込まれるように、当該部分画像を書き込む位置を設定する。
【０１５７】
これにより、エンコーダ装置２２１Ｂ，２２１Ｃ，２２１Ｄは、担当する部分画像にダミー画面ラインを付加して、担当する部分画像に対して符号化処理を効率よく行うことができる。エンコーダ装置２２１Ｂ，２２１Ｃ，２２１Ｄは、上述した各処理を、パイプラインで並列に実行してもよい。
【０１５８】
（結合処理手順の一例）
次に、図１４を用いて、本体部２２２が実行する結合処理手順の一例について説明する。
【０１５９】
図１４は、結合処理手順の一例を示すフローチャートである。図１４において、本体部２２２は、エンコーダ装置２２１Ａからのストリームをチェックする（ステップＳ１４０１）。そして、本体部２２２は、１枚分以上のストリームがあるか否かを判定する（ステップＳ１４０２）。
【０１６０】
ここで、１枚分以上のストリームがない場合（ステップＳ１４０２：Ｎｏ）、本体部２２２は、ステップＳ１４０１の処理に戻る。一方で、１枚分以上のストリームがある場合（ステップＳ１４０２：Ｙｅｓ）、本体部２２２は、１枚分以上のストリームを取り込み、後段に出力する（ステップＳ１４０３）。後段とは、例えば、メモリ４０２である。後段とは、例えば、ディスクドライブ４０５や、ネットワークＩ／Ｆ４０３を介して接続されたネットワーク２４０であってもよい。
【０１６１】
次に、本体部２２２は、エンコーダ装置２２１Ｂからのストリームをチェックする（ステップＳ１４０４）。そして、本体部２２２は、１枚分以上のストリームがあるか否かを判定する（ステップＳ１４０５）。
【０１６２】
ここで、１枚分以上のストリームがない場合（ステップＳ１４０５：Ｎｏ）、本体部２２２は、ステップＳ１４０４の処理に戻る。一方で、１枚分以上のストリームがある場合（ステップＳ１４０５：Ｙｅｓ）、本体部２２２は、１枚分以上のストリームを取り込み、後段に出力する（ステップＳ１４０６）。
【０１６３】
次に、本体部２２２は、エンコーダ装置２２１Ｃからのストリームをチェックする（ステップＳ１４０７）。そして、本体部２２２は、１枚分以上のストリームがあるか否かを判定する（ステップＳ１４０８）。
【０１６４】
ここで、１枚分以上のストリームがない場合（ステップＳ１４０８：Ｎｏ）、本体部２２２は、ステップＳ１４０７の処理に戻る。一方で、１枚分以上のストリームがある場合（ステップＳ１４０８：Ｙｅｓ）、本体部２２２は、１枚分以上のストリームを取り込み、後段に出力する（ステップＳ１４０９）。
【０１６５】
次に、本体部２２２は、エンコーダ装置２２１Ｄからのストリームをチェックする（ステップＳ１４１０）。そして、本体部２２２は、１枚分以上のストリームがあるか否かを判定する（ステップＳ１４１１）。
【０１６６】
ここで、１枚分以上のストリームがない場合（ステップＳ１４１１：Ｎｏ）、本体部２２２は、ステップＳ１４１０の処理に戻る。一方で、１枚分以上のストリームがある場合（ステップＳ１４１１：Ｙｅｓ）、本体部２２２は、１枚分以上のストリームを取り込み、後段に出力する（ステップＳ１４１２）。
【０１６７】
次に、本体部２２２は、ストリームが終端ストリームであるか否かを判定する（ステップＳ１４１３）。ここで、終端ストリームではない場合（ステップＳ１４１３：Ｎｏ）、本体部２２２は、ステップＳ１４０１の処理に戻る。一方で、終端ストリームである場合（ステップＳ１４１３：Ｙｅｓ）、本体部２２２は、結合処理を終了する。
【０１６８】
これにより、本体部２２２は、符号化処理が行われた元画像を順番通りに結合し、符号化処理が行われた映像として記憶しておくことができる。本体部２２２は、上述した各処理を、パイプラインで並列に実行してもよい。
【０１６９】
以上説明したように、画像処理装置１００によれば、少なくとも上下に２分割された元画像１１０の入力を受け付けることができる。次に、画像処理装置１００によれば、入力を受け付けた元画像１１０のうち上部の部分画像１１１の上部に、第１の本数のダミー画面ライン１３１を付加することができる。また、画像処理装置１００によれば、入力を受け付けた元画像１１０のうち下部の部分画像１１２の下部に、第２の本数のダミー画面ライン１３２を付加することができる。そして、画像処理装置１００によれば、ダミー画面ラインを付加した部分画像のそれぞれに対して、符号化処理単位１２０を用いて符号化処理を行うことができる。これにより、画像処理装置１００は、符号化処理を効率よく行うことができる。
【０１７０】
また、画像処理装置１００によれば、上下に２分割され、かつ、左右に２分割された元画像１１０の入力を受け付けることができる。これにより、画像処理装置１００は、元画像１１０を４等分して得られた部分画像のそれぞれについて符号化処理を行うことができる。
【０１７１】
また、画像処理装置１００によれば、符号化処理を行った部分画像のそれぞれを所定の順序にしたがって結合して、符号化処理を行った元画像１１０を生成することができる。これにより、画像処理装置１００は、符号化処理を行った元画像１１０を記憶しておくことができる。
【０１７２】
また、画像処理装置１００によれば、符号化処理を行った元画像１１０に対応付けて、第１の本数と第２の本数とを出力することができる。これにより、画像処理装置１００は、符号化処理を行った元画像１１０に対して、復号化処理を行った後に、上部から除去するダミー画面ラインの第１の本数と、下部から除去するダミー画面ラインの第２の本数とを把握可能にすることができる。
【０１７３】
また、画像処理装置１００によれば、映像に含まれる複数の元画像１１０の入力を受け付けることができる。そして、画像処理装置１００によれば、符号化処理を行った元画像１１０のそれぞれを、映像における元画像１１０の表示順序にしたがって結合することができる。これにより、画像処理装置１００は、符号化処理が行われた映像を記憶しておくことができる。
【０１７４】
また、画像処理装置１００によれば、有効画面ラインの本数が２１６０本である元画像１１０を用いることができる。また、画像処理装置１００によれば、画面ラインの本数が３２本または６４本である符号化処理単位１２０を用いることができる。そして、画像処理装置１００によれば、入力を受け付けた元画像１１０のうち上部の部分画像１１１の上部に、１６本のダミー画面ラインを付加することができる。また、画像処理装置１００によれば、入力を受け付けた元画像１１０のうち下部の部分画像１１２の下部に、１６本のダミー画面ラインを付加することができる。これにより、画像処理装置１００は、８Ｋの元画像１１０に対して符号化処理を行うことができる。
【０１７５】
なお、本実施の形態で説明した画像処理方法は、予め用意されたプログラムをパーソナル・コンピュータやワークステーション等のコンピュータで実行することにより実現することができる。また、エンコーダ装置２２１は、４Ｋ処理用のＬＳＩであっても良い。本画像処理にかかるプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本画像処理にかかるプログラムは、インターネット等のネットワークを介して配布してもよい。
【符号の説明】
【０１７６】
１００  画像処理装置
１１０  元画像
１１１，１１２  部分画像
１２０  符号化処理単位
１３１，１３２  ダミー画面ライン
２００  画像処理システム
２１０  撮影機材
エンコーダ装置  ２２１，２２１Ａ〜２２１Ｄ
２２２  本体部
２３０  復号化処理装置
２４０  ネットワーク
３００，４００  バス
３０１，４０１  ＣＰＵ
３０２，４０２  メモリ
３０３  映像入力部
３０４  エンコーダブロック
４０３  ネットワークＩ／Ｆ
４０４  ディスクＩ／Ｆ
４０５  ディスクドライブ
５０１  入力部
５０２  付加部
５０３  符号化部
５０４  結合部
８００  合成部
９０１  映像入力部
９０２  ダミー生成部
１０００Ａ〜１０００Ｄ，１０００  シンタックス
Ａ〜Ｄ  部分画像
Ｐ  元画像
【図１】
2017158850.tif 000003
【図２】
2017158850.tif 000004
【図３】
2017158850.tif 000005
【図４】
2017158850.tif 000006
【図５】
2017158850.tif 000007
【図６】
2017158850.tif 000008
【図７】
2017158850.tif 000009
【図８】
2017158850.tif 000010
【図９】
2017158850.tif 000011
【図１０】
2017158850.tif 000012
【図１１】
2017158850.tif 000013
【図１２】
2017158850.tif 000014
【図１３】
2017158850.tif 000015
【図１４】
2017158850.tif 000016
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
少なくとも上下に２分割された元画像の入力を受け付け、
入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、
入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、
前記ダミー画面ラインを付加した前記部分画像のそれぞれに対して、前記符号化処理単位を用いて符号化処理を行う、
制御部を有することを特徴とする画像処理装置。
【請求項２】
前記制御部は、
上下に２分割され、かつ、左右に２分割された前記元画像の入力を受け付ける、ことを特徴とする請求項１に記載の画像処理装置。
【請求項３】
前記有効画面ラインの本数は、２１６０本であり、
前記画面ラインの本数は、３２本または６４本であり、
前記制御部は、
入力を受け付けた前記元画像のうち上部の部分画像については、１６本の前記ダミー画面ラインを、当該部分画像の上部に付加し、
入力を受け付けた前記元画像のうち下部の部分画像については、１６本の前記ダミー画面ラインを、当該部分画像の下部に付加する、ことを特徴とする請求項１または２に記載の画像処理装置。
【請求項４】
コンピュータが、
少なくとも上下に２分割された元画像の入力を受け付け、
入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、
入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、
前記ダミー画面ラインを付加した前記部分画像のそれぞれに対して、前記符号化処理単位を用いて符号化処理を行う、
処理を実行することを特徴とする画像処理方法。
【手続補正２】
【補正対象書類名】明細書
【補正対象項目名】全文
【補正方法】変更
【補正の内容】
【発明の詳細な説明】
【技術分野】
【０００１】
本発明は、画像処理装置、および画像処理方法に関する。
【背景技術】
【０００２】
近年、画像が高精細化される傾向があり、４Ｋ２Ｋ（３８４０×２１６０）の画像や８Ｋ４Ｋ（７６８０×４３２０）の画像などが撮影されることがある。また、４Ｋ２Ｋ（３８４０×２１６０）の画像や８Ｋ４Ｋ（７６８０×４３２０）の画像などを水平方向に分割し、複数の符号化処理装置のそれぞれに割り当てて符号化処理を行う技術がある。
【０００３】
関連する先行技術としては、例えば、複数の領域に分割された各々の分割映像データの処理について、その分割領域に隣接する領域との画像境界面での画像処理をオーバーラップさせて行うものがある。また、例えば、マルチディスプレイシステムを構成する複数の映像処理装置のそれぞれが、自装置で処理すべき領域についての統計量取得処理を、その期間に画像入力を行っていない他装置と並列に実行する技術がある。また、例えば、任意の画素数から構成される画像データをブロック化して単一の符号化方式により符号化する技術がある。また、例えば、フィルタ処理における１ラインのデータ数および量子化と符号化で走査する１ラインのデータ数を選択的に切り換えることで、比較的小さくかつ使用頻度が高い第２の大きさの画像についてはタイル分割せずに符号化する技術がある。
【先行技術文献】
【特許文献】
【０００４】
【特許文献１】国際公開第２００９／１４７７９５号
【特許文献２】特開２０１５−９６９２０号公報
【特許文献３】特開平７−１９３８０９号公報
【特許文献４】特開２００２−３４４７４７号公報
【発明の概要】
【発明が解決しようとする課題】
【０００５】
しかしながら、上述した従来技術では、撮影された画像に対する符号化処理を効率よく行うことが難しい場合がある。例えば、撮影された画像を上下左右に分割して得られた部分画像が入力された場合には、撮影された画像を水平方向に分割して得られた部分画像に再構成してから符号化処理を行うことになり、符号化処理を効率よく行うことができない場合がある。
【０００６】
１つの側面では、本発明は、符号化処理を効率よく行うことができる画像処理装置、および画像処理方法を提供することを目的とする。
【課題を解決するための手段】
【０００７】
本発明の一側面によれば、少なくとも上下に２分割された元画像の入力を受け付け、入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、前記ダミー画面ラインを付加した前記部分画像のそれぞれに対して、前記符号化処理単位によって符号化処理を行う画像処理装置、および画像処理方法が提案される。
【発明の効果】
【０００８】
本発明の一態様によれば、符号化処理を効率よく行うことができるという効果を奏する。
【図面の簡単な説明】
【０００９】
【図１】図１は、実施の形態にかかる画像処理方法の一実施例を示す説明図である。
【図２】図２は、画像処理システム２００の一例を示す説明図である。
【図３】図３は、エンコーダ装置２２１のハードウェア構成例を示すブロック図である。
【図４】図４は、本体部２２２のハードウェア構成例を示すブロック図である。
【図５】図５は、画像処理装置１００の機能的構成例を示すブロック図である。
【図６】図６は、画像処理装置１００が元画像Ｐの入力を受け付ける一例を示す説明図である。
【図７】図７は、画像処理装置１００が元画像Ｐの入力を受け付ける他の例を示す説明図である。
【図８】図８は、画像処理装置１００が符号化処理を行う一例を示す説明図である。
【図９】図９は、エンコーダ装置２２１がダミー画面ラインを付加する詳細を示す説明図である。
【図１０】図１０は、画像処理装置１００がシンタックス１０００を付加する詳細を示す説明図である。
【図１１】図１１は、画像処理装置１００が符号化データを合成する一例を示す説明図である。
【図１２】図１２は、先頭の部分画像の符号化処理手順の一例を示すフローチャートである。
【図１３】図１３は、先頭以外の部分画像の符号化処理手順の一例を示すフローチャートである。
【図１４】図１４は、結合処理手順の一例を示すフローチャートである。
【発明を実施するための形態】
【００１０】
以下に、図面を参照して、本発明にかかる画像処理装置、および画像処理方法の実施の形態を詳細に説明する。
【００１１】
（実施の形態にかかる画像処理方法の一実施例）
図１は、実施の形態にかかる画像処理方法の一実施例を示す説明図である。画像処理装置１００は、元画像１１０に対して符号化処理を行うコンピュータである。元画像１１０とは、例えば、８Ｋ４Ｋの画像などである。８Ｋ４Ｋとは、解像度が７６８０×４３２０であることを示す。以下の説明では、８Ｋ４Ｋを「８Ｋ」と表記する場合がある。
【００１２】
近年では、画像が高精細化される傾向があり、８Ｋの画像などが撮影されることがあるため、撮影された８Ｋの画像に対する符号化処理および復号化処理を実現することが望まれている。しかしながら、以下の（ａ）〜（ｃ）に説明するように、８Ｋの画像に対する符号化処理を実現し、８Ｋの画像に対する符号化処理を効率よく行うことが難しい場合がある。
【００１３】
（ａ）まず、８Ｋの画像に対する符号化処理を行うために、かかる符号化処理を行う専用の符号化処理装置を製造することは、金銭的な観点や市場規模の観点から好ましくないことがある。例えば、放送局の収録機材などに適用する、８Ｋの画像に対する符号化処理を行う専用の符号化処理装置を製造することは、放送局の収録機材などがテレビ受信機などに比べて数が少ないため、金銭的な観点から好ましくないことがある。
【００１４】
（ｂ）これに対し、符号化処理装置が、８Ｋよりも小さい解像度の画像に対する符号化処理を行う複数の演算装置を流用し、８Ｋの画像に対する符号化処理を複数の演算装置に分担させ、８Ｋの画像に対する符号化処理を実現することが考えられる。例えば、８Ｋの画像を４分割して得られた４つの部分画像のそれぞれに対する符号化処理を、４つの演算装置のそれぞれが分担して行うことが考えられる。
【００１５】
具体的には、８Ｋの７６８０×４３２０の画像を、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ）規格にしたがって、３つの７６８０×１０８８の部分画像と１つの７６８０×１０５６の部分画像に分割する。そして、８Ｋの画像を分割して得たそれぞれの部分画像に対する符号化処理を、４つの演算装置のそれぞれが行うことが考えられる。
【００１６】
しかしながら、撮影された８Ｋの画像は、そのまま伝送することが難しいため、８Ｋよりも小さい解像度の部分画像に分割して伝送され、符号化処理装置に入力される傾向がある。例えば、８Ｋの画像をそのまま伝送する規格が存在しないため、８Ｋの画像は、４つの４Ｋ２Ｋの部分画像に分割され、４Ｋ２Ｋの画像を伝送する規格にしたがって伝送される傾向がある。４Ｋ２Ｋとは、解像度が３８４０×２１６０であることを示す。以下の説明では、４Ｋ２Ｋを「４Ｋ」と表記する場合がある。
【００１７】
このように、符号化処理が行われる部分画像の大きさと、伝送される部分画像の大きさとが異なってしまう傾向がある。このため、符号化処理装置は、８Ｋの画像を分割して得られた４つの４Ｋの部分画像の入力を受け付けた後、４つの４Ｋの部分画像からＡＲＩＢ規格に対応する３つの７６８０×１０８８の部分画像と１つの７６８０×１０５６の部分画像を再構成することになる。
【００１８】
結果として、符号化処理装置に、４つの４Ｋの部分画像からＡＲＩＢ規格に対応する３つの７６８０×１０８８の部分画像と１つの７６８０×１０５６の部分画像を再構成する再構成回路を設けることになり、金銭的な観点や導入時の負担から好ましくないことがある。再構成回路は、入力を受け付けた部分画像が大きくなるほど、回路規模が大きくなってしまい、金銭的な観点から好ましくないことがある。また、符号化処理装置が、３つの７６８０×１０８８の部分画像と１つの７６８０×１０５６の部分画像を再構成してから、４つの演算装置に分担させることになり、部分画像が大きくなるほど再構成にかかる時間の増大化を招き、符号化処理を効率よく行うことができない可能性がある。
【００１９】
さらに、ディスプレイシステムが、８Ｋの画像を表示する場合が考えられる。この場合ディスプレイシステムは、８Ｋの画像を４つの４Ｋの部分画像に分割して表示する傾向がある。一方で、ディスプレイシステムは、符号化処理が行われた３つの７６８０×１０８８の部分画像と１つの７６８０×１０５６の部分画像を受信することになり、３つの７６８０×１０８８の部分画像と１つの７６８０×１０５６の部分画像を復号して取得することになる。
【００２０】
このように、ディスプレイシステムが復号する部分画像の大きさと、ディスプレイシステムが表示する部分画像の大きさとが異なってしまう傾向がある。このため、ディスプレイシステムは、３つの７６８０×１０８８の部分画像と１つの７６８０×１０５６の部分画像を復号した後、３つの７６８０×１０８８の部分画像と１つの７６８０×１０５６の部分画像から４つの４Ｋの部分画像を再構成することになる。
【００２１】
結果として、ディスプレイシステムにも、３つの７６８０×１０８８の部分画像と１つの７６８０×１０５６の部分画像の部分画像から４つの４Ｋの部分画像を再構成する再構成回路を設けることになり、金銭的な観点や導入時の負担から好ましくないことがある。また、ディスプレイシステムが、４つの４Ｋの部分画像を再構成してから、８Ｋの画像として表示することになり、部分画像が大きくなるほど再構成にかかる時間の増大化を招き、８Ｋの画像を効率よく表示することができない可能性がある。
【００２２】
（ｃ）また、具体的には、８Ｋの画像を、ＴＩＬＥ分割と呼ばれる分割方法を用いて、４つの４Ｋの部分画像に分割し、４つの４Ｋの部分画像のそれぞれに対する符号化処理を、４つの演算装置のそれぞれが分担して行うことが考えられる。ＴＩＬＥ分割は、例えば、ＨＥＶＣ（Ｈｉｇｈ  Ｅｆｆｉｃｉｅｎｃｙ  Ｖｉｄｅｏ  Ｃｏｄｉｎｇ）規格に定められている。ＴＩＬＥ分割が可能な規格であれば、ＨＥＶＣ規格以外であってもよい。
【００２３】
そして、４つの演算装置によってそれぞれ符号化処理が行われた４Ｋの部分画像を結合して、符号化処理が行われた８Ｋの画像として出力する。これによれば、符号化処理装置は、８Ｋの画像を分割して得られた４つの４Ｋの部分画像の入力を受け付けた後、それぞれの部分画像をそのまま４つの演算装置のそれぞれに分担させてよい。
【００２４】
ここで、符号化処理は、例えば、ＣＴＵ（Ｃｏｄｉｎｇ  Ｔｒｅｅ  Ｕｎｉｔ）と呼ばれる、１６×１６の符号化処理単位、３２×３２の符号化処理単位、または、６４×６４の符号化処理単位のいずれかを用いて行うことができる。そして、符号化処理単位が大きいほど、符号化処理が効率よく行われる傾向がある。このため、比較的大きい符号化処理単位を用いて符号化処理を行うことが望まれる傾向がある。
【００２５】
しかしながら、８Ｋ画像をＴＩＬＥ分割した４Ｋの部分画像に対する符号化処理は、４Ｋ（３８４０×２１６０）の部分画像が３２×３２の符号化処理単位および６４×６４の符号化処理単位では割り切れないため、１６×１６の符号化処理単位を用いて行われることになる。結果として、４Ｋの部分画像に対する符号化処理を効率よく行うことが難しい。
【００２６】
そこで、本実施の形態では、少なくとも上下に２分割された元画像１１０に対して、符号化処理を効率よく行うことができる画像処理方法について説明する。元画像１１０とは、符号化処理が行われる対象である。図１の例では、元画像１１０は、ｙ×ｘの画像である。ｙ×ｘは、横の画素数がｙ、縦の画素数がｘであることを示す。
【００２７】
（１−１）画像処理装置１００は、少なくとも上下に２分割された元画像１１０の入力を受け付ける。ここで、元画像１１０における「上」とは、元画像１１０の符号化方向の複数のラインのうち、符号化順にしたがって先に符号化処理が行われるラインがある側である。元画像１１０における「下」とは、元画像１１０の符号化方向の複数のラインのうち、符号化順にしたがって後に符号化処理が行われるラインがある側である。
【００２８】
図１の例では、カメラなどの撮影機材が、ｙ×ｘの元画像１１０を撮影し、撮影した元画像１１０を上下に２分割し、元画像１１０を分割して得られた２つのｙ×ｘ／２の部分画像１１１，１１２のそれぞれを、画像処理装置１００に送信する。
【００２９】
一方で、画像処理装置１００は、ｙ×ｘの元画像１１０を分割して得られた、２つのｙ×ｘ／２の部分画像１１１，１１２のそれぞれを、カメラから受信する。ここで、ｙ×ｘの元画像１１０を少なくとも上下に分割して得られたそれぞれのｙ×ｘ／２の部分画像１１１，１１２は、所定の符号化処理単位１２０で割り切ることができない可能性がある。例えば、ｘ／２が６４の倍数でなければ、ｙ×ｘ／２の部分画像１１１，１１２は、６４×６４の符号化処理単位１２０で割り切ることができない。
【００３０】
（１−２）画像処理装置１００は、入力を受け付けた元画像１１０のうち上部の部分画像１１１については、第１の本数のダミー画面ライン１３１を当該部分画像１１１の上部に付加する。第１の本数は、上部の部分画像１１１が有する有効画面ラインの本数と、符号化処理の一つの符号化処理単位１２０が有する画面ラインの本数の整数倍との差分になる本数である。ダミー画面ラインとは、上部の部分画像１１１に付加される、上部の部分画像１１１における符号化方向に沿った、幅が１画素分のラインである。
【００３１】
上部の部分画像１１１が有する有効画面ラインとは、上部の部分画像１１１のうち符号化方向に沿った、幅が１画素分のラインである。図１の例では、上部の部分画像１１１が有する有効画面ラインは、上部の部分画像１１１のうち、符号化方向に沿ったｙ×１のライン１１３などであり、ｘ／２本存在することになる。符号化処理単位１２０が有する画面ラインとは、符号化処理単位１２０のうち符号化方向に沿った、幅が１画素分のラインである。図１の例では、符号化処理単位１２０が有する画面ラインは、例えば、ｚ×ｚの符号化処理単位１２０のうち、符号化方向に沿ったｚ×１のライン１２１などであり、ｚ本存在することになる。
【００３２】
このため、図１の例では、第１の本数は、符号化処理単位１２０が有する画面ラインの本数の整数倍をｎｚとすれば、ｎｚ−ｘ／２本になる。換言すれば、第１の本数は、上部の部分画像１１１が有する有効画面ラインの本数に、いくつの本数を加算すれば、符号化処理単位１２０が有する画面ラインの倍数になるかを表現している。
【００３３】
図１の例では、画像処理装置１００は、入力を受け付けた元画像１１０のうち、上部の部分画像１１１の上部に、ｎｚ−ｘ／２本のダミー画面ライン１３１を付加する。これによれば、画像処理装置１００は、ｎｚ−ｘ／２本のダミー画面ライン１３１を付加した後の上部の部分画像１１１が有する有効画面ラインの本数とダミー画面ラインの本数との合計を、符号化処理単位１２０が有する画面ラインの倍数にすることができる。
【００３４】
（１−３）画像処理装置１００は、入力を受け付けた元画像１１０のうち下部の部分画像１１２については、第２の本数のダミー画面ライン１３２を当該部分画像１１２の下部に付加する。第２の本数は、下部の部分画像１１２が有する有効画面ラインの本数と、符号化処理の一つの符号化処理単位１２０が有する画面ラインの本数の整数倍との差分になる本数である。ダミー画面ラインとは、下部の部分画像１１２に付加される、下部の部分画像１１２における符号化方向に沿った、幅が１画素分のラインである。
【００３５】
下部の部分画像１１２が有する有効画面ラインとは、下部の部分画像１１２のうち符号化方向に沿った、幅が１画素分のラインである。図１の例では、下部の部分画像１１２が有する有効画面ラインは、下部のｙ×ｘ／２の部分画像のうち、符号化方向に沿ったｙ×１のライン１１４などであり、ｘ／２本存在することになる。
【００３６】
このため、図１の例では、第２の本数は、符号化処理単位１２０が有する画面ラインの本数の整数倍をｎｚとすれば、ｎｚ−ｘ／２本になる。換言すれば、第２の本数は、下部の部分画像１１２が有する有効画面ラインの本数に、いくつの本数を加算すれば、符号化処理単位１２０が有する画面ラインの倍数になるかを表現している。
【００３７】
図１の例では、画像処理装置１００は、入力を受け付けた元画像１１０のうち、下部の部分画像１１２の下部に、ｎｚ−ｘ／２本のダミー画面ライン１３２を付加する。これによれば、画像処理装置１００は、ｎｚ−ｘ／２本のダミー画面ライン１３２を付加した後の、下部の部分画像１１２が有する有効画面ラインの本数とダミー画面ラインの本数との合計を、符号化処理単位１２０が有する画面ラインの倍数にすることができる。
【００３８】
（１−４）画像処理装置１００は、ダミー画面ラインを付加した部分画像１１１，１１２のそれぞれに対して、ｚ×ｚの符号化処理単位１２０を用いて符号化処理を行う。画像処理装置１００は、例えば、ｎｚ−ｘ／２本のダミー画面ライン１３１を付加した後の上部の部分画像１１１に対して、ｚ×ｚの符号化処理単位１２０によって符号化処理を行う。また、画像処理装置１００は、ｎｚ−ｘ／２本のダミー画面ライン１３２を付加した後の、下部の部分画像１１２に対して、ｚ×ｚの符号化処理単位１２０によって符号化処理を行う。
【００３９】
これによれば、画像処理装置１００は、ダミー画面ラインを付加することにより、符号化処理を行う対象となる部分画像を、符号化処理単位１２０によって割り切れるようにしてから、符号化処理を行うことができる。これにより、画像処理装置１００は、符号化処理単位１２０を大きくしても符号化処理を可能にすることができ、符号化処理を効率よく行うことができる。
【００４０】
具体的には、画像処理装置１００は、８Ｋ専用の符号化処理装置がなくても、４Ｋ対応の符号化処理装置を複数用いて、符号化処理を効率よく行うことが可能な３２×３２や６４×６４の符号化処理単位１２０を活用することができる。このとき、画像処理装置１００は、カメラなどの撮影機材から受信した複数の部分画像同士を結合しなおして、符号化処理が行われる対象となる新たな部分画像を生成しなくてもよく、複数の部分画像同士を結合しなおすための新たな回路を用いなくてよい。これらのことから、画像処理装置１００は、新たな回路を用いなくても、符号化処理単位１２０を大きくして符号化処理を可能にすることができ、符号化処理を効率よく行うことができる。
【００４１】
ここでは、元画像１１０が、少なくとも上下に２分割される場合について説明したが、これに限らない。例えば、元画像１１０は、上下に２分割され、さらに、左右に２分割以上されてもよい。ここで、元画像１１０における「左」とは、元画像１１０の符号化方向のいずれかのラインのうち、符号化順にしたがって先に符号化処理が行われる画素がある側である。元画像１１０における「左」とは、元画像１１０の符号化方向のいずれかのラインのうち、符号化順にしたがって後に符号化処理が行われる画素がある側である。
【００４２】
また、ここでは、元画像１１０が上下に２分割された場合であって、元画像１１０を上下に２分割して得られた部分画像における符号化方向と垂直な方向の大きさが、６４×６４の符号化処理単位１２０などで割り切れない場合について説明したが、これに限らない。例えば、元画像１１０が左右に２分割された場合であって、元画像１１０を左右に２分割して得られた部分画像における符号化方向の大きさが、６４×６４の符号化処理単位１２０などで割り切れない場合があってもよい。
【００４３】
この場合、画像処理装置１００は、元画像１１０を左右に２分割して得られた部分画像のうち、左部の部分画像の左部、または、右部の部分画像の右部に、符号化方向に垂直な方向に沿ったダミー画面の列を付加する。これにより、画像処理装置１００は、符号化処理を効率よく行うことができる。また、この場合、元画像１１０は、さらに、上下に２分割以上されてもよい。
【００４４】
また、例えば、元画像１１０が上下に２分割、かつ、左右に２分割された場合であって、元画像１１０を分割して得られた部分画像における符号化方向の大きさも符号化方向に垂直な方向の大きさも、符号化処理単位１２０で割り切れない場合があってもよい。
【００４５】
この場合、画像処理装置１００は、元画像１１０を分割して得られた部分画像のうち、左上部の部分画像の上部に、符号化方向に沿ったダミー画面ラインを付加し、かつ、左上部の部分画像の左部に、符号化方向に垂直な方向に沿ったダミー画面の列を付加する。同様に、画像処理装置１００は、元画像１１０を分割して得られた部分画像のうち、右上部の部分画像の上部に、符号化方向に沿ったダミー画面ラインを付加し、かつ、右上部の部分画像の右部に、符号化方向に垂直な方向に沿ったダミー画面の列を付加する。
【００４６】
同様に、画像処理装置１００は、元画像１１０を分割して得られた部分画像のうち、左下部の部分画像の下部に、符号化方向に沿ったダミー画面ラインを付加し、かつ、左下部の部分画像の左部に、符号化方向に垂直な方向に沿ったダミー画面の列を付加する。同様に、画像処理装置１００は、元画像１１０を分割して得られた部分画像のうち、右下部の部分画像の下部に、符号化方向に沿ったダミー画面ラインを付加し、かつ、右下部の部分画像の右部に、符号化方向に垂直な方向に沿ったダミー画面の列を付加する。これにより、画像処理装置１００は、符号化処理を効率よく行うことができる。
【００４７】
ここでは、元画像１１０がｙ×ｘの画像である場合について説明したが、これに限らない。例えば、元画像１１０は、８Ｋ（７６８０×４３２０）の画像である。また、例えば、元画像１１０は、８Ｋ以上の解像度であってもよく、１６Ｋ８Ｋ（１５３６０×８６４０）の画像であってもよい。ここでは、符号化処理単位１２０が正方形である場合について説明したが、これに限らない。例えば、符号化処理単位１２０は、長方形であってもよい。
【００４８】
（画像処理システム２００の一例）
次に、図２を用いて、図１に示した画像処理装置１００を適用した、画像処理システム２００の一例について説明する。
【００４９】
図２は、画像処理システム２００の一例を示す説明図である。図２において、画像処理システム２００は、撮影機材２１０と、画像処理装置１００と、復号化処理装置２３０とを含む。画像処理システム２００において、画像処理装置１００と復号化処理装置２３０は、有線または無線のネットワーク２４０を介して接続されていてもよいし、画像処理装置１００内の記録メディアにデータとして記録し、記録メディアを取り出して、復号化処理装置２３０に接続してデータを取り出してもよい。ネットワーク２４０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００５０】
撮影機材２１０は、元画像を撮影し、撮影した元画像を画像処理装置１００に送信する装置である。撮影機材２１０は、例えば、８Ｋの元画像を撮影し、撮影した８Ｋの元画像を４分割して得られたそれぞれの部分画像を、画像処理装置１００が有するそれぞれのエンコーダ装置２２１に専用線を介して送信する。撮影機材２１０は、例えば、カメラである。
【００５１】
画像処理装置１００は、元画像に対する符号化処理を行うコンピュータである。画像処理装置１００は、例えば、８Ｋの元画像を４分割して得られたそれぞれの部分画像を受信し、それぞれの部分画像に対してダミー画面ラインを付加してから符号化処理を行う。画像処理装置１００は、複数のエンコーダ装置２２１と、本体部２２２とを有する。図２の例では、エンコーダ装置２２１は４つである。エンコーダ装置は、例えば、ボードであり、画像処理装置１００のスロットに挿入される。以下の説明では、エンコーダ装置２２１のそれぞれを区別する場合、エンコーダ装置２２１Ａ、エンコーダ装置２２１Ｂ、エンコーダ装置２２１Ｃ、エンコーダ装置２２１Ｄと表記する場合がある。画像処理装置１００は、例えば、放送局の収録機材である。
【００５２】
復号化処理装置２３０は、符号化処理が行われた８Ｋの画像を受信し、符号化処理が行われた８Ｋの画像に対する復号化処理を行い、８Ｋの画像を表示するコンピュータである。復号化処理装置２３０は、例えば、テレビ受信機、屋外ビジョン、デジタルサイネージなどである。ここでは、画像処理装置１００が有するエンコーダ装置２２１が４つである場合について説明したが、これに限らない。例えば、画像処理装置１００は、エンコーダ装置２２１を２つ有していてもよい。
【００５３】
（エンコーダ装置２２１のハードウェア構成例）
次に、図３を用いて、エンコーダ装置２２１のハードウェア構成例について説明する。
【００５４】
図３は、エンコーダ装置２２１のハードウェア構成例を示すブロック図である。図３において、エンコーダ装置２２１は、ＣＰＵ（Ｃｅｎｔｒａｌ  Ｐｒｏｃｅｓｓｉｎｇ  Ｕｎｉｔ）３０１と、メモリ３０２と、映像入力部３０３と、エンコーダブロック３０４とを有する。また、各構成部は、バス３００によってそれぞれ接続される。
【００５５】
ここで、ＣＰＵ３０１は、エンコーダ装置２２１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。メモリ３０２は、さらに、１以上のフレームメモリを有してもよい。フレームメモリは、１画像を格納する専用の記憶領域である。
【００５６】
映像入力部３０３は、専用線を通じて撮影機材２１０に接続される。映像入力部３０３は、例えば、複数の専用線を通じて撮影機材２１０に接続される。映像入力部３０３は、具体的には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）−２．０と呼ばれる伝送規格にしたがって４本のＨＤＭＩケーブルを用いて撮影機材２１０に接続される。ＨＤＭＩは登録商標である。映像入力部３０３は、具体的には、３Ｇ−ＳＤＩ（Ｓｅｒｉａｌ  Ｄｉｇｉｔａｌ  Ｉｎｔｅｒｆａｃｅ）と呼ばれる伝送規格にしたがって１６本の同軸ケーブルを用いて撮影機材２１０に接続されてもよい。また、映像入力部３０３は、３Ｇ−ＳＤＩに代わり、６Ｇ−ＳＤＩや１２Ｇ−ＳＤＩと呼ばれる伝送規格を用いてもよい。そして、映像入力部３０３は、撮影機材２１０と内部のインターフェースを司り、元画像を分割して得られた部分画像のそれぞれの撮影機材２１０からの入力を制御する。エンコーダブロック３０４は、ＨＥＶＣ等の動画像に対する符号化処理を行うことが可能な回路である。
【００５７】
（本体部２２２のハードウェア構成例）
次に、図４を用いて、本体部２２２のハードウェア構成例について説明する。
【００５８】
図４は、本体部２２２のハードウェア構成例を示すブロック図である。図４において、本体部２２２は、ＣＰＵ４０１と、メモリ４０２と、ネットワークＩ／Ｆ４０３と、ディスクＩ／Ｆ４０４と、ディスクドライブ４０５と、を有する。また、各構成部は、バス４００によってそれぞれ接続される。
【００５９】
ここで、ＣＰＵ４０１は、本体部２２２の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００６０】
ネットワークＩ／Ｆ４０３は、通信回線を通じてネットワーク２４０に接続され、ネットワーク２４０を介して他のコンピュータ（例えば、図２に示した復号化処理装置２３０）に接続される。そして、ネットワークＩ／Ｆ４０３は、ネットワーク２４０と内部のインターフェースを司り、他のコンピュータからのデータの入出力を制御する。ネットワークＩ／Ｆ４０３には、例えば、モデムやＬＡＮアダプタなどを採用することができる。
【００６１】
ディスクＩ／Ｆ４０４は、ＣＰＵ４０１の制御にしたがってディスクドライブ４０５に対するデータのリード／ライトを制御する。ディスクドライブ４０５は、例えば、磁気ディスクドライブである。ディスクドライブ４０５は、ディスクＩ／Ｆ４０４の制御で書き込まれたデータを記憶する不揮発の記録メディアである。ディスクドライブ４０５は、例えば、磁気ディスク、光ディスク、ＳＳＤ（Ｓｏｌｉｄ  Ｓｔａｔｅ  Ｄｒｉｖｅ）などを有する。
【００６２】
バス４００は、さらに、複数のエンコーダ装置２２１に接続される。そして、バス４００は、各構成部とエンコーダ装置２２１との入出力に用いられ、エンコーダ装置２２１が部分画像に対して符号化処理を行って得られた符号化データを各構成部に入力可能にする。
【００６３】
本体部２２２は、上述した構成部のほか、例えば、半導体メモリ、キーボード、マウス、ディスプレイなどを有することにしてもよい。
【００６４】
（画像処理装置１００の機能的構成例）
次に、図５を用いて、画像処理装置１００の機能的構成例について説明する。
【００６５】
図５は、画像処理装置１００の機能的構成例を示すブロック図である。画像処理装置１００は、入力部５０１と、付加部５０２と、符号化部５０３と、結合部５０４とを含む。
【００６６】
入力部５０１〜符号化部５０３は、制御部となる機能であり、例えば、図３に示したメモリ３０２に記憶されたプログラムをＣＰＵ３０１に実行させることにより、または、映像入力部３０３により、その機能を実現する。入力部５０１〜符号化部５０３の処理結果は、例えば、メモリ３０２に記憶される。
【００６７】
結合部５０４は、制御部となる機能であり、例えば、図４に示したメモリ４０２、ディスクドライブ４０５などの記憶領域に記憶されたプログラムをＣＰＵ４０１に実行させることにより、または、ネットワークＩ／Ｆ４０３により、その機能を実現する。結合部５０４の処理結果は、例えば、メモリ４０２、ディスクドライブ４０５などの記憶領域に記憶される。
【００６８】
入力部５０１は、少なくとも上下に２分割された元画像の入力を受け付ける。元画像とは、符号化処理が行われる対象である。元画像は、例えば、８Ｋの画像などである。元画像は、具体的には、８Ｋの映像に含まれるそれぞれの画像である。入力部５０１は、例えば、撮影された映像に含まれる複数の元画像のそれぞれであって、少なくとも上下に２分割された元画像の入力を受け付ける。
【００６９】
ここで、具体的には、撮影機材２１０が、８Ｋの元画像を撮影し、８Ｋの元画像を少なくとも上下に２分割して得られた２つの７６８０×２１６０の画像を、画像処理装置１００に送信することが考えられる。一方で、入力部５０１は、具体的には、８Ｋの元画像を上下に２分割して得られた２つの７６８０×２１６０の画像を、撮影機材２１０から受信する。これにより、入力部５０１は、符号化処理が行われる対象となる元画像を入力することができる。
【００７０】
また、入力部５０１は、上下に２分割され、かつ、左右に２分割された元画像の入力を受け付けてもよい。入力部５０１は、例えば、映像に含まれる複数の元画像のそれぞれであって、上下に２分割され、かつ、左右に２分割された元画像の入力を受け付ける。
【００７１】
ここで、具体的には、撮影機材２１０が、８Ｋの元画像を撮影し、８Ｋの元画像を上下に２分割し、かつ、左右に２分割して得られた４つの４Ｋの部分画像を、画像処理装置１００に送信することが考えられる。一方で、入力部５０１は、具体的には、８Ｋの元画像を上下に２分割し、かつ、左右に２分割して得られた４つの４Ｋの部分画像を、撮影機材２１０から受信する。これにより、入力部５０１は、符号化処理が行われる対象となる元画像を入力することができる。
【００７２】
付加部５０２は、入力部５０１が入力を受け付けた元画像のうち上部の部分画像については、第１の本数のダミー画面ラインを当該部分画像の上部に付加する。第１の本数は、上部の部分画像が有する有効画面ラインの本数と、符号化処理の一つの符号化処理単位が有する画面ラインの本数の整数倍との差分になる本数である。ダミー画面ラインとは、上部または下部の部分画像に付加される、上部または下部の部分画像における符号化方向に沿った、幅が１画素分のラインである。上部の部分画像が有する有効画面ラインとは、上部の部分画像のうち符号化方向に沿った、幅が１画素分のラインである。符号化処理単位が有する画面ラインとは、符号化処理単位のうち符号化方向に沿った、幅が１画素分のラインである。
【００７３】
付加部５０２は、例えば、上部の部分画像が有する有効画面ラインの本数が２１６０本であり、符号化処理単位が有する画面ラインの本数が３２本または６４本である場合について、１６本のダミー画面ラインを上部の部分画像の上部に付加する。付加部５０２は、具体的には、上部の４Ｋ（３８４０×２１６０）の部分画像の上部に、１６本のダミー画面ラインを付加することにより、ダミー画面ラインを付加した後の、上部の３８４０×２１７６の部分画像を生成する。
【００７４】
これにより、付加部５０２は、３２×３２の符号化処理単位、または、６４×６４の符号化処理単位で割り切ることが可能なように上部の３８４０×２１７６の部分画像を生成することができ、符号化処理を効率よく行うことができるようにする。
【００７５】
付加部５０２は、入力部５０１が入力を受け付けた元画像のうち下部の部分画像については、第２の本数のダミー画面ラインを当該部分画像の下部に付加する。第２の本数は、下部の部分画像が有する有効画面ラインの本数と、当該部分画像が有する有効画面ラインの本数より大きい、符号化処理の一つの符号化処理単位が有する画面ラインの本数の整数倍との差分になる本数である。下部の部分画像が有する有効画面ラインとは、下部の部分画像のうち符号化方向に沿った、幅が１画素分のラインである。
【００７６】
付加部５０２は、例えば、下部の部分画像が有する有効画面ラインの本数が２１６０本であり、符号化処理単位が有する画面ラインの本数が３２本または６４本である場合について、１６本のダミー画面ラインを下部の部分画像の上部に付加する。付加部５０２は、具体的には、下部の４Ｋ（３８４０×２１６０）の部分画像の下部に、１６本のダミー画面ラインを付加することにより、ダミー画面ラインを付加した後の、下部の３８４０×２１７６の部分画像を生成する。
【００７７】
これにより、付加部５０２は、３２×３２の符号化処理単位、または、６４×６４の符号化処理単位で割り切ることが可能なように下部の３８４０×２１７６の部分画像を生成することができ、符号化処理を効率よく行うことができるようにする。
【００７８】
符号化部５０３は、ダミー画面ラインを付加した部分画像のそれぞれに対して、符号化処理単位によって符号化処理を行う。符号化部５０３は、例えば、ダミー画面ラインを付加した部分画像のそれぞれに対して、３２×３２の符号化処理単位、または、６４×６４の符号化処理単位によって符号化処理を行う。
【００７９】
符号化部５０３は、具体的には、ダミー画面ラインを付加した後の、上部の３８４０×２１７６の部分画像に対して、３２×３２の符号化処理単位、または、６４×６４の符号化処理単位によって符号化処理を行う。また、画像処理装置１００は、ダミー画面ラインを付加した後の、下部の３８４０×２１７６の部分画像に対して、３２×３２の符号化処理単位、または、６４×６４の符号化処理単位によって符号化処理を行う。これにより、符号化部５０３は、符号化処理を効率よく行うことができる。
【００８０】
結合部５０４は、符号化部５０３が符号化処理を行って生成された部分画像に対応するビットストリームを所定の順序にしたがって結合して、元画像に対応するビットストリームを生成する。所定の順序は、例えば、元画像のうち、左上の部分画像、右上の部分画像、左下の部分画像、右下の部分画像の順序である。これにより、結合部５０４は、符号化処理が行われた部分画像のそれぞれを、元画像ごとにまとめることができる。
【００８１】
結合部５０４は、符号化処理を行った元画像に対応付けて、第１の本数と第２の本数とを出力する。符号化部５０３もしくは結合部５０４は、例えば、符号化処理が行われた元画像に、第１の本数と第２の本数とをシンタックスとして付加して出力する。これにより、復号化処理の際に元画像から、ダミー画面ラインを除去した元画像を復号可能にすることができる。
【００８２】
結合部５０４は、符号化処理を行った元画像のそれぞれを、映像における元画像の表示順序にしたがって結合する。これにより、結合部５０４は、符号化処理が行われた映像を生成することができ、符号化処理が行われた映像をメモリ４０２、ディスクドライブ４０５などに記憶し、または、復号化処理装置２３０に送信することができる。
【００８３】
（画像処理装置１００の動作の流れの一例）
次に、図６〜図１０を用いて、画像処理装置１００の動作の流れの一例について説明する。
【００８４】
図６は、画像処理装置１００が元画像Ｐの入力を受け付ける一例を示す説明図である。図６において、撮影機材２１０は、８Ｋの映像を撮影し、８Ｋの映像に含まれるｎ個の８Ｋの元画像Ｐのそれぞれを上下に２分割し、かつ、左右に２分割して、４つの４Ｋの部分画像Ａ〜Ｄを生成する。
【００８５】
以下の説明では、映像のうち何枚目の元画像Ｐであるかを区別する場合には、元画像Ｐを「元画像Ｐ（ｉ）」と表記する場合がある。ｉは、元画像Ｐが何枚目かを示す値である。ｉは、１〜ｎである。以下の説明では、部分画像Ａ〜Ｄがｎ個の元画像Ｐのうち何枚目の元画像Ｐを分割して生成された部分画像であるかを区別する場合には、部分画像Ａ〜Ｄを「部分画像Ａ（ｉ）〜Ｄ（ｉ）」と表記する場合がある。
【００８６】
そして、撮影機材２１０は、８Ｋの元画像Ｐごとに、生成された４つの４Ｋの部分画像Ａ〜Ｄのうちエンコーダ装置２２１Ａ〜２２１Ｄのそれぞれが担当する４Ｋの部分画像を、エンコーダ装置２２１Ａ〜２２１Ｄのそれぞれに専用線を介して送信する。ここで、エンコーダ装置２２１Ａ〜２２１Ｄのそれぞれは、元画像Ｐのうち担当領域が設定されており、担当領域に対応する部分画像を担当する。撮影機材２１０は、具体的には、ＨＤＭＩ−２．０と呼ばれる伝送規格にしたがって、エンコーダ装置２２１Ａ〜２２１Ｄのそれぞれに接続されたＨＤＭＩケーブルを用いて、４Ｋの部分画像Ａ〜Ｄのそれぞれを送信する。
【００８７】
エンコーダ装置２２１Ａは、自装置が担当する４Ｋの部分画像Ａを、撮影機材２１０から専用線を介して受信する。また、エンコーダ装置２２１Ｂは、自装置が担当する４Ｋの部分画像Ｂを、撮影機材２１０から専用線を介して受信する。また、エンコーダ装置２２１Ｃは、自装置が担当する４Ｋの部分画像Ｃを、撮影機材２１０から専用線を介して受信する。また、エンコーダ装置２２１Ｄは、自装置が担当する４Ｋの部分画像Ｄを、撮影機材２１０から専用線を介して受信する。これにより、エンコーダ装置２２１Ａ〜２２１Ｄは、自装置が担当する４Ｋの部分画像を受信することができる。ここで、図７の説明に移行する。
【００８８】
図７は、画像処理装置１００が元画像Ｐの入力を受け付ける他の例を示す説明図である。図７において、撮影機材２１０は、８Ｋの映像を撮影し、８Ｋの映像に含まれるｎ個の８Ｋの元画像Ｐのそれぞれを上下に４分割、かつ、左右に４分割して、１６個のＦｕｌｌＨＤ（Ｈｉｇｈ  Ｄｅｆｉｎｉｔｉｏｎ  ｖｉｄｅｏ）の部分画像Ａ１〜Ｄ４を生成する。そして、撮影機材２１０は、８Ｋの元画像Ｐごとに、エンコーダ装置２２１Ａ〜２２１Ｄのそれぞれが担当する４つのＦｕｌｌＨＤの部分画像を、エンコーダ装置２２１Ａ〜２２１Ｄのそれぞれに４本の専用線を介して送信する。撮影機材２１０は、具体的には、３Ｇ−ＳＤＩと呼ばれる伝送規格にしたがって、エンコーダ装置２２１Ａ〜２２１Ｄのそれぞれに接続された同軸ケーブルを用いて、４Ｋの部分画像Ａ〜Ｄのそれぞれを送信する。
【００８９】
エンコーダ装置２２１Ａは、自装置が担当するＦｕｌｌＨＤの部分画像Ａ１〜Ａ４のそれぞれを、撮影機材２１０から４本の専用線を介して受信する。エンコーダ装置２２１Ａは、受信したＦｕｌｌＨＤの部分画像Ａ１〜Ａ４を結合し、自装置が担当する４Ｋの部分画像Ａを生成する。エンコーダ装置２２１Ｂは、自装置が担当するＦｕｌｌＨＤの部分画像Ｂ１〜Ｂ４のそれぞれを、撮影機材２１０から４本の専用線を介して受信する。エンコーダ装置２２１Ｂは、受信したＦｕｌｌＨＤの部分画像Ｂ１〜Ｂ４を結合し、自装置が担当する４Ｋの部分画像Ｂを生成する。
【００９０】
エンコーダ装置２２１Ｃは、自装置が担当するＦｕｌｌＨＤの部分画像Ｃ１〜Ｃ４のそれぞれを、撮影機材２１０から４本の専用線を介して受信する。エンコーダ装置２２１Ｃは、受信したＦｕｌｌＨＤの部分画像Ｃ１〜Ｃ４を結合し、自装置が担当する４Ｋの部分画像Ｃを生成する。エンコーダ装置２２１Ｄは、自装置が担当するＦｕｌｌＨＤの部分画像Ｄ１〜Ｄ４のそれぞれを、撮影機材２１０から４本の専用線を介して受信する。エンコーダ装置２２１Ｄは、受信したＦｕｌｌＨＤの部分画像Ｄ１〜Ｄ４を結合し、自装置が担当する４Ｋの部分画像Ｄを生成する。
【００９１】
これにより、エンコーダ装置２２１Ａ〜２２１Ｄは、自装置が担当する４Ｋの部分画像を生成することができる。ここで、図６または図７のように、エンコーダ装置２２１Ａ〜２２１Ｄが、自装置が担当する４Ｋの部分画像を受信または生成したとして、図８の説明に移行する。
【００９２】
図８は、画像処理装置１００が符号化処理を行う一例を示す説明図である。図８において、エンコーダ装置２２１Ａは、自装置が担当する４Ｋの部分画像Ａの上部に、１６本のダミー画面ラインを付加する。エンコーダ装置２２１Ａは、ダミー画面ラインを付加した後の部分画像Ａに対して、６４×６４の符号化処理単位を用いて符号化処理を行う。エンコーダ装置２２１Ａは、ダミー画面ラインを付加した後の部分画像Ａに対して符号化処理を行って得られた符号化データｅＡに、シンタックスを付加する。このように、エンコーダ装置２２１Ａは、元画像Ｐごとに符号化データｅＡを生成することになる。
【００９３】
以下の説明では、符号化データｅＡが、何枚目の元画像Ｐを分割して生成された部分画像Ａから得られた符号化データであるかを区別する場合には、符号化データｅＡを「符号化データｅＡ（ｉ）」と表記する場合がある。そして、エンコーダ装置２２１Ａは、符号化データｅＡ（１）〜ｅＡ（ｎ）を符号化データｅＡ（１）から順番に、４Ｋビットストリームとして合成部８００に出力する。
【００９４】
また、エンコーダ装置２２１Ｂは、自装置が担当する４Ｋの部分画像Ｂの上部に、１６本のダミー画面ラインを付加する。エンコーダ装置２２１Ｂは、ダミー画面ラインを付加した後の部分画像Ｂに対して、６４×６４の符号化処理単位を用いて符号化処理を行う。エンコーダ装置２２１Ｂは、ダミー画面ラインを付加した後の部分画像Ｂに対して符号化処理を行って得られた符号化データｅＢに、シンタックスを付加する。このように、エンコーダ装置２２１Ｂは、元画像Ｐごとに符号化データｅＢを生成することになる。
【００９５】
以下の説明では、符号化データｅＢが、何枚目の元画像Ｐを分割して生成された部分画像Ｂから得られた符号化データであるかを区別する場合には、符号化データｅＢを「符号化データｅＢ（ｉ）」と表記する場合がある。そして、エンコーダ装置２２１Ｂは、符号化データｅＢ（１）〜ｅＢ（ｎ）を符号化データｅＢ（１）から順番に、４Ｋビットストリームとして合成部８００に出力する。
【００９６】
また、エンコーダ装置２２１Ｃは、自装置が担当する４Ｋの部分画像Ｃの下部に、１６本のダミー画面ラインを付加する。エンコーダ装置２２１Ｃは、ダミー画面ラインを付加した後の部分画像Ｃに対して、６４×６４の符号化処理単位を用いて符号化処理を行う。エンコーダ装置２２１Ｃは、ダミー画面ラインを付加した後の部分画像Ｃに対して符号化処理を行って得られた符号化データｅＣに、シンタックスを付加する。このように、エンコーダ装置２２１Ｃは、元画像Ｐごとに符号化データｅＣを生成することになる。
【００９７】
以下の説明では、符号化データｅＣが、何枚目の元画像Ｐを分割して生成された部分画像Ｃから得られた符号化データであるかを区別する場合には、符号化データｅＣを「符号化データｅＣ（ｉ）」と表記する場合がある。そして、エンコーダ装置２２１Ｃは、符号化データｅＣ（１）〜ｅＣ（ｎ）を符号化データｅＣ（１）から順番に、４Ｋビットストリームとして合成部８００に出力する。
【００９８】
また、エンコーダ装置２２１Ｄは、自装置が担当する４Ｋの部分画像Ｄの下部に、１６本のダミー画面ラインを付加する。エンコーダ装置２２１Ｄは、ダミー画面ラインを付加した後の部分画像Ｄに対して、６４×６４の符号化処理単位を用いて符号化処理を行う。エンコーダ装置２２１Ｄは、ダミー画面ラインを付加した後の部分画像Ｄに対して符号化処理を行って得られた符号化データｅＤに、シンタックスを付加する。このように、エンコーダ装置２２１Ｄは、元画像Ｐごとに符号化データｅＤを生成することになる。
【００９９】
以下の説明では、符号化データｅＤが、何枚目の元画像Ｐを分割して生成された部分画像Ｄから得られた符号化データであるかを区別する場合には、符号化データｅＤを「符号化データｅＤ（ｉ）」と表記する場合がある。そして、エンコーダ装置２２１Ｄは、符号化データｅＤ（１）〜ｅＤ（ｎ）を符号化データｅＤ（１）から順番に、４Ｋビットストリームとして合成部８００に出力する。ここで、図９の説明に移行し、エンコーダ装置２２１がダミー画面ラインを付加する詳細について説明する。
【０１００】
図９は、エンコーダ装置２２１がダミー画面ラインを付加する詳細を示す説明図である。図９の例では、説明の簡略化のため、エンコーダ装置２２１Ａを例に挙げて説明する。エンコーダ装置２２１Ｂ，２２１Ｃ，２２１Ｄは、エンコーダ装置２２１Ａと同様であるため、詳細な説明を省略する。図９において、エンコーダ装置２２１Ａは、映像入力部９０１と、ダミー生成部９０２とを含む。
【０１０１】
映像入力部９０１は、８Ｋの映像に含まれる８Ｋの元画像Ｐを上下に２分割し、かつ、左右に２分割して得られた４つの４Ｋの部分画像のうち、エンコーダ装置２２１Ａが担当する４Ｋの部分画像Ａを撮影機材２１０から受信する。そして、映像入力部９０１は、４Ｋの部分画像Ａを、符号化処理が行われる対象となる３８４０×２１７６の部分画像を格納するメモリ３０２に用意された記憶領域のうち、先頭から始まるダミー画面ラインを格納する記憶領域を除いた残余の記憶領域に格納する。これにより、映像入力部９０１は、符号化処理が行われる対象となる部分画像の入力を受け付けることができる。
【０１０２】
エンコーダ装置２２１Ｂにおける映像入力部９０１は、エンコーダ装置２２１Ａにおける映像入力部９０１と同様である。エンコーダ装置２２１Ｃにおける映像入力部９０１は、例えば、４Ｋの部分画像Ｃを、符号化処理が行われる対象となる３８４０×２１７６の部分画像を格納するメモリ３０２に用意された記憶領域の先頭から格納する。エンコーダ装置２２１Ｄにおける映像入力部９０１は、エンコーダ装置２２１Ｃにおける映像入力部９０１と同様である。
【０１０３】
ダミー生成部９０２は、エンコーダ装置２２１Ａが担当する部分画像Ａに、ダミー画面ラインを付加する。ダミー生成部９０２は、例えば、１６本のダミー画面ラインを、符号化処理が行われる対象となる３８４０×２１７６の部分画像を格納するメモリ３０２の記憶領域のうち、先頭から始まるダミー画面ラインを格納する記憶領域に格納する。
【０１０４】
このとき、ダミー生成部９０２は、例えば、ダミー画面ラインとして、黒色を示す画素を並べたラインを用いることができる。また、ダミー生成部９０２は、例えば、ダミー画面ラインとして、黒色以外の色を示す画素を並べたラインを用いることができる。ダミー生成部９０２は、映像入力部９０１が部分画像を格納する前に、ダミー画面ラインを格納していてもよい。
【０１０５】
また、ダミー生成部９０２は、さらに、メモリ３０２から読み出したデータをマスクする回路を有してもよい。そして、ダミー生成部９０２は、符号化処理が行われる対象となる部分画像をメモリ３０２から読み出す際に、符号化処理が行われる対象となる部分画像のうちダミー画面ラインに対応する部分を、黒色を示す画素に置換してもよい。
【０１０６】
また、ダミー生成部９０２は、さらに、メモリ３０２からの読み出し先を変更する回路を有してもよい。そして、ダミー生成部９０２は、符号化処理が行われる対象となる部分画像をメモリ３０２から読み出す際に、符号化処理が行われる対象となる部分画像のうちダミー画面ラインを読み出す際には、ダミー画面ラインに隣接する有効画面ラインを読み出してもよい。これにより、ダミー生成部９０２は、３２×３２の符号化処理単位、または、６４×６４の符号化処理単位で割り切ることが可能なように、３８４０×２１７６の部分画像を生成することができ、符号化処理を効率よく行うことができるようにする。
【０１０７】
エンコーダ装置２２１Ｂにおけるダミー生成部９０２は、エンコーダ装置２２１Ａにおけるダミー生成部９０２と同様である。エンコーダ装置２２１Ｃにおけるダミー生成部９０２は、例えば、１６本のダミー画面ラインを、符号化処理が行われる対象となる３８４０×２１７６の部分画像を格納するメモリ３０２の記憶領域のうち末尾にあるダミー画面ラインを格納する記憶領域に格納する。エンコーダ装置２２１Ｄにおけるダミー生成部９０２は、エンコーダ装置２２１Ｃにおけるダミー生成部９０２と同様である。
【０１０８】
そして、エンコーダ装置２２１Ａは、ダミー画面ラインを付加した後の、エンコーダ装置２２１Ａが担当する部分画像に対して符号化処理を行う。エンコーダ装置２２１Ａは、ダミー画面ラインについては、画質が劣化してもよいため、データ量を抑えるように符号化処理を行うなどの特殊な処理をしてもよい。
【０１０９】
エンコーダ装置２２１Ａは、例えば、符号化処理が行われる対象となる３８４０×２１７６の部分画像を格納するメモリ３０２に用意された記憶領域を指定して、エンコーダブロック３０４に符号化処理を指示する。これにより、エンコーダ装置２２１Ａは、符号化処理を効率よく行うことができる。
【０１１０】
このように、画像処理装置１００は、具体的には、エンコーダ装置２２１Ａ〜２２１Ｄのそれぞれが有する映像入力部９０１によって入力部５０１の機能を実現している。また、画像処理装置１００は、具体的には、エンコーダ装置２２１Ａ〜２２１Ｄのそれぞれが有する映像入力部９０１とダミー生成部９０２とによって付加部５０２の機能を実現している。ここで、図１０の説明に移行し、シンタックス１０００を付加する詳細について説明する。
【０１１１】
図１０は、画像処理装置１００がシンタックス１０００を付加する詳細を示す説明図である。シンタックス１０００は、ＨＥＶＣ規格によって定められた、復号化処理を行う際や映像を表示する際に用いられる情報である。
【０１１２】
エンコーダ装置２２１Ａ〜２２１Ｄは、合成部８００において符号化データを結合することを考慮して符号化データにシンタックス１０００を付加する。エンコーダ装置２２１Ａ〜２２１Ｄは、合成部８００において符号化データを結合することを考慮せずに符号化データにシンタックス１０００を付加しておき、合成部８００において符号化データを結合する際にシンタックス１０００を書き換えるようにしてもよい。
【０１１３】
シンタックス１０００は、ＶＰＳ（Ｖｉｄｅｏ  Ｐａｒａｍｅｔｅｒ  Ｓｅｔ）、ＳＰＳ（Ｓｅｑｕｅｎｃｅ  Ｐａｒａｍｅｔｅｒ  Ｓｅｔ）、ＰＰＳ（Ｐｉｃｔｕｒｅ  Ｐａｒａｍｅｔｅｒ  Ｓｅｔ）、スライスを有する。ＶＰＳおよびＳＰＳは、映像全体に関する情報である。ＰＰＳは、元画像Ｐ１枚１枚に関し、元画像Ｐをどのように分割したかに関する情報である。スライスは、元画像Ｐにおける部分画像の位置に関する情報である。
【０１１４】
図１０において、エンコーダ装置２２１Ａは、担当する部分画像Ａに対して符号化処理を行って得られた符号化データｅＡに、シンタックス１０００Ａを付加する。エンコーダ装置２２１Ａは、例えば、担当する部分画像Ａが先頭であり、部分画像Ａ〜Ｄの先頭として結合されるため、８Ｋの元画像Ｐに応じたＶＰＳ、ＳＰＳ、ＰＰＳを含むシンタックス１０００Ａを付加する。ここで、ＶＰＳについては、説明を省略する。
【０１１５】
シンタックス１０００ＡのＳＰＳは、元画像Ｐが８Ｋ（７６８０×４３２０）であることを示し、復号化処理の後には、上部の１６本のダミー画面ラインと下部の１６本のダミー画面ラインを除去すれば元画像Ｐが得られることを示す。
【０１１６】
具体的には、「ｐｉｃ＿ｗｉｄｔｈ＿ｉｎ＿ｌｕｍａ＿ｓａｍｐｌｅｓ＝７６８０（０ｘ１ｅ００）」と「ｐｉｃ＿ｈｅｉｇｈｔ＿ｉｎ＿ｌｕｍａ＿ｓａｍｐｌｅｓ＝４３２０（０ｘ１０ｅ０）」とは、元画像Ｐの大きさを示す。
【０１１７】
また、「ｃｏｎｆｏｒｍａｎｃｅ＿ｗｉｎｄｏｗ＿ｆｌａｇ＝ｔｒｕｅ」は、復号化処理の際に、除去すべき部分があることを示す。また、「ｃｏｎｆ＿ｗｉｎ＿ｌｅｆｔ＿ｏｆｆｓｅｔ＝０」と「ｃｏｎｆ＿ｗｉｎ＿ｒｉｇｈｔ＿ｏｆｆｓｅｔ＝０」とは、左右には除去すべき画面の列がないことを示す。
【０１１８】
また、「ｃｏｎｆ＿ｗｉｎ＿ｔｏｐ＿ｏｆｆｓｅｔ＝１６」は、上部に１６本の除去すべき画面ラインがあることを示し、復号化処理の後に上部の１６本のラインを除去することを示す。また、「ｃｏｎｆ＿ｗｉｎ＿ｂｏｔｔｏｍ＿ｏｆｆｓｅｔ＝１６」は、下部に１６本の除去すべき画面ラインがあることを示し、復号化処理の後に下部の１６本のラインを除去することを示す。
【０１１９】
これにより、復号化処理装置２３０は、復号化処理を行って得られた７６８０×４３５２の画像に対して、上下の１６本のダミー画面ラインを除いた、内側の８Ｋ（７６８０×４３２０）の画像を、元画像Ｐとして認識することができる。
【０１２０】
シンタックス１０００ＡのＰＰＳは、元画像Ｐを上下に２分割し、かつ、左右に２分割したことを示す。具体的には、「ｔｉｌｅｓ＿ｅｎａｂｌｅｄ＿ｆｌａｇ＝ｔｒｕｅ」は、タイル分割したこと示す。
【０１２１】
また、「ｅｎｔｒｏｐｙ＿ｃｏｄｉｎｇ＿ｓｙｎｃ＿ｅｎａｂｌｅｄ＿ｆｌａｇ＝ｆａｌｓｅ」については説明を省略する。また、「ｎｕｍ＿ｔｉｌｅ＿ｃｏｌｕｍｎｓ＿ｍｉｎｕｓ１＝１」は、水平方向に何回分割したかを示す。また、「ｎｕｍ＿ｔｉｌｅ＿ｒｏｗｓ＿ｍｉｎｕｓ１＝１」は、垂直方向に何回分割したかを示す。
【０１２２】
また、「ｕｎｉｆｏｒｍ＿ｓｐａｃｉｎｇ＿ｆｌａｇ＝ｔｒｕｅ」は、等分割したか否かを示す。また、「ｌｏｏｐ＿ｆｉｌｔｅｒ＿ａｃｒｏｓｓ＿ｔｉｌｅｓ＿ｅｎａｂｌｅｄ＿ｆｌａｇ＝ｆａｌｓｅ」は、部分画像間の境界などについてループフィルタを用いるか否かを示す。また、「ｌｏｏｐ＿ｆｉｌｔｅｒ＿ａｃｒｏｓｓ＿ｓｌｉｃｅｓ＿ｅｎａｂｌｅｄ＿ｆｌａｇ＝ｆａｌｓｅ」は、部分画像間の境界などについてループフィルタを用いるか否かを示す。
【０１２３】
シンタックス１０００ＡのＳｌｉｃｅは、元画像Ｐにおける部分画像Ａの位置を示す。具体的には、「ｆｉｒｓｔ＿ｓｌｉｃｅ＿ｓｅｇｍｅｎｔ＿ｉｎ＿ｐｉｃ＿ｆｌａｇ＝ｔｒｕｅ」は、元画像Ｐにおいて部分画像Ａが先頭であることを示す。また、「ｎｕｍ＿ｅｎｔｒｙ＿ｐｏｉｎｔ＿ｏｆｆｓｅｔｓ＝０」は、元画像Ｐにおける部分画像Ａの左上位置を、６４×６４の符号化処理単位の数で示す。
【０１２４】
エンコーダ装置２２１Ｂは、担当する部分画像Ｂに対して符号化処理を行って得られた符号化データｅＢに、シンタックス１０００Ｂを付加する。シンタックス１０００Ｂは、ＶＰＳ、ＳＰＳ、ＰＰＳを含まなくてよい。
【０１２５】
シンタックス１０００ＢのＳｌｉｃｅは、元画像Ｐにおける部分画像Ｂの位置を示す。具体的には、「ｆｉｒｓｔ＿ｓｌｉｃｅ＿ｓｅｇｍｅｎｔ＿ｉｎ＿ｐｉｃ＿ｆｌＢｇ＝ｆａｌｓｅ」は、元画像Ｐにおいて部分画像Ｂが先頭であることを示す。「ｎｕｍ＿ｅｎｔｒｙ＿ｐｏｉｎｔ＿ｏｆｆｓｅｔｓ＝６０」は、元画像Ｐにおける部分画像Ｂの左上位置を、６４×６４の符号化処理単位の数で示す。また、「ｎｕｍ＿ｅｎｔｒｙ＿ｐｏｉｎｔ＿ｏｆｆｓｅｔｓ＝０」については、説明を省略する。
【０１２６】
エンコーダ装置２２１Ｃは、担当する部分画像Ｃに対して符号化処理を行って得られた符号化データｅＣに、シンタックス１０００Ｃを付加する。シンタックス１０００Ｃは、ＶＰＳ、ＳＰＳ、ＰＰＳを含まなくてよい。
【０１２７】
シンタックス１０００ＣのＳｌｉｃｅは、元画像Ｐにおける部分画像Ｃの位置を示す。具体的には、「ｆｉｒｓｔ＿ｓｌｉｃｅ＿ｓｅｇｍｅｎｔ＿ｉｎ＿ｐｉｃ＿ｆｌＣｇ＝ｆａｌｓｅ」は、元画像Ｐにおいて部分画像Ｃが先頭であることを示す。「ｎｕｍ＿ｅｎｔｒｙ＿ｐｏｉｎｔ＿ｏｆｆｓｅｔｓ＝４０８０」は、元画像Ｐにおける部分画像Ｃの左上位置を、６４×６４の符号化処理単位の数で示す。また、「ｎｕｍ＿ｅｎｔｒｙ＿ｐｏｉｎｔ＿ｏｆｆｓｅｔｓ＝０」については、説明を省略する。
【０１２８】
エンコーダ装置２２１Ｄは、担当する部分画像Ｄに対して符号化処理を行って得られた符号化データｅＤに、シンタックス１０００Ｄを付加する。シンタックス１０００Ｄは、ＶＰＳ、ＳＰＳ、ＰＰＳを含まなくてよい。
【０１２９】
シンタックス１０００ＤのＳｌｉｃｅは、元画像Ｐにおける部分画像Ｄの位置を示す。具体的には、「ｆｉｒｓｔ＿ｓｌｉｃｅ＿ｓｅｇｍｅｎｔ＿ｉｎ＿ｐｉｃ＿ｆｌＤｇ＝ｆａｌｓｅ」は、元画像Ｐにおいて部分画像Ｄが先頭であることを示す。「ｎｕｍ＿ｅｎｔｒｙ＿ｐｏｉｎｔ＿ｏｆｆｓｅｔｓ＝４１４０」は、元画像Ｐにおける部分画像Ｄの左上位置を、６４×６４の符号化処理単位の数で示す。また、「ｎｕｍ＿ｅｎｔｒｙ＿ｐｏｉｎｔ＿ｏｆｆｓｅｔｓ＝０」については、説明を省略する。
【０１３０】
これにより、画像処理装置１００は、復号化処理装置２３０が、復号化処理を行った後に、元画像Ｐを得るために除去すべき上部の１６本のダミー画面ラインと下部の１６本のダミー画面ラインとを把握可能なようにすることができる。ここで、図１１の説明に移行する。
【０１３１】
図１１は、画像処理装置１００が符号化データを合成する一例を示す説明図である。図１１において、画像処理装置１００は、合成部８００を含む。合成部８００は、１枚目の元画像Ｐ（１）を基に得られた部分画像Ａ（１）、Ｂ（１）、Ｃ（１）、Ｄ（１）のそれぞれに対応する符号化データｅＡ（１）、ｅＢ（１）、ｅＣ（１）、ｅＤ（１）を順番に結合する。これにより、合成部８００は、１枚目の元画像Ｐ（１）に符号化処理が行われた結果に対応する結合データｅＰ（１）を生成する。合成部８００は、同様に、２枚目以降の元画像Ｐ（２）〜Ｐ（ｎ）についても、２枚目以降の元画像Ｐ（２）〜Ｐ（ｎ）に符号化処理が行われた結果に対応する結合データｅＰ（２）〜ｅＰ（ｎ）を生成する。
【０１３２】
合成部８００は、元画像Ｐ（１）〜Ｐ（ｎ）に符号化処理が行われた結果に対応する結合データｅＰ（１）〜ｅＰ（ｎ）を、１枚目の元画像Ｐ（１）に符号化処理が行われた結果に対応する結合データｅＰ（１）から順番に、８Ｋビットストリームとして出力する。これにより、合成部８００は、８Ｋの映像に対応する８Ｋビットストリームを出力することができる。
【０１３３】
ここでは、説明の簡略化のため、元画像Ｐの順番と、８Ｋビットストリームの順番とが一致するようにしたが、これに限らない。例えば、ＨＥＶＣ規格のリオーダ手法を用いる場合には、元画像Ｐの順番と、８Ｋビットストリームの順番とが異なっていてもよい。
【０１３４】
これにより、画像処理装置１００は、８Ｋの映像に対応する８Ｋビットストリームを、復号化処理装置２３０に送信して、表示させることができる。復号化処理装置２３０は、受信した８Ｋの映像に対応する８Ｋビットストリームに基づいて、８Ｋの画像ごとに４つの４Ｋの画像を復号することができる。
【０１３５】
このため、復号化処理装置２３０は、４つの７６８０×１０８８の部分画像から４つの４Ｋの部分画像を再構成する再構成回路を有さなくてもよい。そして、復号化処理装置２３０は、復号した４つの４Ｋの画像に基づいて８Ｋの画像を表示することができ、８Ｋの画像を効率よく表示することができる。このように、画像処理装置１００は、具体的には、合成部８００によって結合部５０４の機能を実現している。
【０１３６】
（先頭の部分画像の符号化処理手順の一例）
次に、図１２を用いて、エンコーダ装置２２１が実行する先頭の部分画像の符号化処理手順の一例について説明する。
【０１３７】
図１２は、先頭の部分画像の符号化処理手順の一例を示すフローチャートである。図１２において、エンコーダ装置２２１Ａは、初期設定を行う（ステップＳ１２０１）。エンコーダ装置２２１Ａは、具体的には、初期設定として、メモリ３０２に、符号化処理が行われる対象となる３８４０×２１７６の部分画像を格納する記憶領域を用意する。
【０１３８】
エンコーダ装置２２１Ａは、初期設定として、用意した記憶領域の先頭からダミー画面ラインを格納し、映像入力された画像のうち担当領域の部分画像がダミー画面ラインに上書きせずに続けて書き込まれるように、当該部分画像を書き込む位置を設定する。また、初期設定は、各種処理に用いる変数のクリア、ハードウェアやソフトウェアに関する設定のクリアなどを含んでもよい。
【０１３９】
次に、エンコーダ装置２２１Ａは、エンコーダ装置２２１Ｂ，２２１Ｃ，２２１Ｄのステータスをチェックする（ステップＳ１２０２）。そして、エンコーダ装置２２１Ａは、エンコーダ装置２２１Ｂ，２２１Ｃ，２２１Ｄのステータスが起動であるか否かを判定する（ステップＳ１２０３）。ここで、エンコーダ装置２２１Ｂ，２２１Ｃ，２２１Ｄのいずれかのステータスが起動ではない場合（ステップＳ１２０３：Ｎｏ）、エンコーダ装置２２１Ａは、ステップＳ１２０２の処理に戻る。
【０１４０】
一方で、エンコーダ装置２２１Ｂ，２２１Ｃ，２２１Ｄのステータスが起動である場合（ステップＳ１２０３：Ｙｅｓ）、エンコーダ装置２２１Ａは、映像入力をチェックする（ステップＳ１２０４）。そして、エンコーダ装置２２１Ａは、有効映像が開始したか否かを判定する（ステップＳ１２０５）。ここで、有効映像が開始していない場合（ステップＳ１２０５：Ｎｏ）、エンコーダ装置２２１Ａは、ステップＳ１２０４の処理に戻る。
【０１４１】
一方で、有効映像が開始した場合（ステップＳ１２０５：Ｙｅｓ）、エンコーダ装置２２１Ａは、エンコーダ装置２２１Ｂ，２２１Ｃ，２２１Ｄに起動指示を送信する（ステップＳ１２０６）。次に、エンコーダ装置２２１Ａは、映像入力をチェックする（ステップＳ１２０７）。そして、エンコーダ装置２２１Ａは、有効映像のうち有効画像が１枚取り込み完了したか否かを判定する（ステップＳ１２０８）。ここで、取り込み完了していない場合（ステップＳ１２０８：Ｎｏ）、エンコーダ装置２２１Ａは、ステップＳ１２０７の処理に戻る。
【０１４２】
一方で、取り込み完了した場合（ステップＳ１２０８：Ｙｅｓ）、エンコーダ装置２２１Ａは、担当領域の１枚分の部分画像に対して符号化処理を行う（ステップＳ１２０９）。このとき、エンコーダ装置２２１Ａは、符号化処理を行った部分画像にシンタックスを付加してもよい。
【０１４３】
次に、エンコーダ装置２２１Ａは、本体部２２２からの終了指示をチェックする（ステップＳ１２１０）。そして、エンコーダ装置２２１Ａは、終了指示がされたか否かを判定する（ステップＳ１２１１）。ここで、終了指示がされていない場合（ステップＳ１２１１：Ｎｏ）、エンコーダ装置２２１Ａは、ステップＳ１２０７の処理に戻る。
【０１４４】
一方で、終了指示がされた場合（ステップＳ１２１１：Ｙｅｓ）、エンコーダ装置２２１Ａは、エンコーダ装置２２１Ｂ，２２１Ｃ，２２１Ｄに終了指示を送信する（ステップＳ１２１２）。次に、エンコーダ装置２２１Ａは、担当領域の終端処理を実行する（ステップＳ１２１３）。エンコーダ装置２２１Ａは、終端処理として、終了指示がされたとしても、処理すべきデータが残っていれば処理する。エンコーダ装置２２１Ａは、具体的には、リオーダ等に伴う後処理を行う。
【０１４５】
そして、エンコーダ装置２２１Ａは、先頭の部分画像の符号化処理を終了する。これにより、エンコーダ装置２２１Ａは、担当する部分画像にダミー画面ラインを付加して、担当する部分画像に対して符号化処理を効率よく行うことができる。エンコーダ装置２２１Ａは、上述した各処理を、パイプラインで並列に実行してもよい。
【０１４６】
（先頭以外の部分画像の符号化処理手順の一例）
次に、図１３を用いて、エンコーダ装置２２１が実行する先頭以外の部分画像の符号化処理手順の一例について説明する。
【０１４７】
図１３は、先頭以外の部分画像の符号化処理手順の一例を示すフローチャートである。図１３において、エンコーダ装置２２１Ｂは、初期設定を行う（ステップＳ１３０１）。エンコーダ装置２２１Ｂは、具体的には、初期設定として、メモリ３０２に、符号化処理が行われる対象となる３８４０×２１７６の部分画像を格納する記憶領域を用意する。
【０１４８】
エンコーダ装置２２１Ｂは、初期設定として、用意した記憶領域の先頭からダミー画面ラインを格納し、映像入力された画像のうち担当領域の部分画像がダミー画面ラインに上書きせずに続けて書き込まれるように、当該部分画像を書き込む位置を設定する。また、初期設定は、各種処理に用いる変数のクリア、ハードウェアやソフトウェアに関する設定のクリアなどを含んでもよい。
【０１４９】
次に、エンコーダ装置２２１Ｂは、エンコーダ装置２２１Ｂのステータスを、起動に設定する（ステップＳ１３０２）。そして、エンコーダ装置２２１Ｂは、映像入力をチェックする（ステップＳ１３０３）。そして、エンコーダ装置２２１Ｂは、有効映像が開始したか否かを判定する（ステップＳ１３０４）。ここで、有効映像が開始していない場合（ステップＳ１３０４：Ｎｏ）、エンコーダ装置２２１Ｂは、ステップＳ１３０３の処理に戻る。
【０１５０】
一方で、有効映像が開始した場合（ステップＳ１３０４：Ｙｅｓ）、エンコーダ装置２２１Ｂは、エンコーダ装置２２１Ａからの起動指示をチェックする（ステップＳ１３０５）。そして、エンコーダ装置２２１Ｂは、起動指示があるか否かを判定する（ステップＳ１３０６）。起動指示がない場合（ステップＳ１３０６：Ｎｏ）、エンコーダ装置２２１Ｂは、ステップＳ１３０３の処理に戻る。
【０１５１】
一方で、起動指示がある場合（ステップＳ１３０６：Ｙｅｓ）、エンコーダ装置２２１Ｂは、映像入力をチェックする（ステップＳ１３０７）。そして、エンコーダ装置２２１Ｂは、有効映像のうち有効画像が１枚取り込み完了したか否かを判定する（ステップＳ１３０８）。ここで、取り込み完了していない場合（ステップＳ１３０８：Ｎｏ）、エンコーダ装置２２１Ｂは、ステップＳ１３０７の処理に戻る。
【０１５２】
一方で、取り込み完了した場合（ステップＳ１３０８：Ｙｅｓ）、エンコーダ装置２２１Ｂは、担当領域の１枚分の部分画像に対して符号化処理を行う（ステップＳ１３０９）。このとき、エンコーダ装置２２１Ａは、符号化処理を行った部分画像にシンタックスを付加してもよい。
【０１５３】
次に、エンコーダ装置２２１Ｂは、エンコーダ装置２２１Ａからの終了指示をチェックする（ステップＳ１３１０）。そして、エンコーダ装置２２１Ｂは、終了指示がされたか否かを判定する（ステップＳ１３１１）。ここで、終了指示がされていない場合（ステップＳ１３１１：Ｎｏ）、エンコーダ装置２２１Ｂは、ステップＳ１３０７の処理に戻る。
【０１５４】
一方で、終了指示がされた場合（ステップＳ１３１１：Ｙｅｓ）、エンコーダ装置２２１Ｂは、担当領域の終端処理を実行する（ステップＳ１３１２）。エンコーダ装置２２１Ｂは、終端処理として、終了指示がされたとしても、処理すべきデータが残っていれば処理する。エンコーダ装置２２１Ｂは、具体的には、リオーダ等に伴う後処理を行う。
【０１５５】
そして、エンコーダ装置２２１Ｂは、先頭以外の部分画像の符号化処理を終了する。エンコーダ装置２２１Ｃ，２２１Ｄの処理は、エンコーダ装置２２１Ｂの処理と同様であるため、初期設定を除き説明を省略する。
【０１５６】
エンコーダ装置２２１Ｃ，２２１Ｄは、初期設定として、用意した記憶領域の末尾にダミー画面ラインを格納し、映像入力された画像のうち担当領域の部分画像が、用意した記憶領域の先頭から書き込まれるように、当該部分画像を書き込む位置を設定する。
【０１５７】
これにより、エンコーダ装置２２１Ｂ，２２１Ｃ，２２１Ｄは、担当する部分画像にダミー画面ラインを付加して、担当する部分画像に対して符号化処理を効率よく行うことができる。エンコーダ装置２２１Ｂ，２２１Ｃ，２２１Ｄは、上述した各処理を、パイプラインで並列に実行してもよい。
【０１５８】
（結合処理手順の一例）
次に、図１４を用いて、本体部２２２が実行する結合処理手順の一例について説明する。
【０１５９】
図１４は、結合処理手順の一例を示すフローチャートである。図１４において、本体部２２２は、エンコーダ装置２２１Ａからのストリームをチェックする（ステップＳ１４０１）。そして、本体部２２２は、１枚分以上のストリームがあるか否かを判定する（ステップＳ１４０２）。
【０１６０】
ここで、１枚分以上のストリームがない場合（ステップＳ１４０２：Ｎｏ）、本体部２２２は、ステップＳ１４０１の処理に戻る。一方で、１枚分以上のストリームがある場合（ステップＳ１４０２：Ｙｅｓ）、本体部２２２は、１枚分以上のストリームを取り込み、後段に出力する（ステップＳ１４０３）。後段とは、例えば、メモリ４０２である。後段とは、例えば、ディスクドライブ４０５や、ネットワークＩ／Ｆ４０３を介して接続されたネットワーク２４０であってもよい。
【０１６１】
次に、本体部２２２は、エンコーダ装置２２１Ｂからのストリームをチェックする（ステップＳ１４０４）。そして、本体部２２２は、１枚分以上のストリームがあるか否かを判定する（ステップＳ１４０５）。
【０１６２】
ここで、１枚分以上のストリームがない場合（ステップＳ１４０５：Ｎｏ）、本体部２２２は、ステップＳ１４０４の処理に戻る。一方で、１枚分以上のストリームがある場合（ステップＳ１４０５：Ｙｅｓ）、本体部２２２は、１枚分以上のストリームを取り込み、後段に出力する（ステップＳ１４０６）。
【０１６３】
次に、本体部２２２は、エンコーダ装置２２１Ｃからのストリームをチェックする（ステップＳ１４０７）。そして、本体部２２２は、１枚分以上のストリームがあるか否かを判定する（ステップＳ１４０８）。
【０１６４】
ここで、１枚分以上のストリームがない場合（ステップＳ１４０８：Ｎｏ）、本体部２２２は、ステップＳ１４０７の処理に戻る。一方で、１枚分以上のストリームがある場合（ステップＳ１４０８：Ｙｅｓ）、本体部２２２は、１枚分以上のストリームを取り込み、後段に出力する（ステップＳ１４０９）。
【０１６５】
次に、本体部２２２は、エンコーダ装置２２１Ｄからのストリームをチェックする（ステップＳ１４１０）。そして、本体部２２２は、１枚分以上のストリームがあるか否かを判定する（ステップＳ１４１１）。
【０１６６】
ここで、１枚分以上のストリームがない場合（ステップＳ１４１１：Ｎｏ）、本体部２２２は、ステップＳ１４１０の処理に戻る。一方で、１枚分以上のストリームがある場合（ステップＳ１４１１：Ｙｅｓ）、本体部２２２は、１枚分以上のストリームを取り込み、後段に出力する（ステップＳ１４１２）。
【０１６７】
次に、本体部２２２は、ストリームが終端ストリームであるか否かを判定する（ステップＳ１４１３）。ここで、終端ストリームではない場合（ステップＳ１４１３：Ｎｏ）、本体部２２２は、ステップＳ１４０１の処理に戻る。一方で、終端ストリームである場合（ステップＳ１４１３：Ｙｅｓ）、本体部２２２は、結合処理を終了する。
【０１６８】
これにより、本体部２２２は、符号化処理が行われた元画像を順番通りに結合し、符号化処理が行われた映像として記憶しておくことができる。本体部２２２は、上述した各処理を、パイプラインで並列に実行してもよい。
【０１６９】
以上説明したように、画像処理装置１００によれば、少なくとも上下に２分割された元画像１１０の入力を受け付けることができる。次に、画像処理装置１００によれば、入力を受け付けた元画像１１０のうち上部の部分画像１１１の上部に、第１の本数のダミー画面ライン１３１を付加することができる。また、画像処理装置１００によれば、入力を受け付けた元画像１１０のうち下部の部分画像１１２の下部に、第２の本数のダミー画面ライン１３２を付加することができる。そして、画像処理装置１００によれば、ダミー画面ラインを付加した部分画像のそれぞれに対して、符号化処理単位１２０を用いて符号化処理を行うことができる。これにより、画像処理装置１００は、符号化処理を効率よく行うことができる。
【０１７０】
また、画像処理装置１００によれば、上下に２分割され、かつ、左右に２分割された元画像１１０の入力を受け付けることができる。これにより、画像処理装置１００は、元画像１１０を４等分して得られた部分画像のそれぞれについて符号化処理を行うことができる。
【０１７１】
また、画像処理装置１００によれば、符号化処理を行った部分画像のそれぞれを所定の順序にしたがって結合して、符号化処理を行った元画像１１０を生成することができる。これにより、画像処理装置１００は、符号化処理を行った元画像１１０を記憶しておくことができる。
【０１７２】
また、画像処理装置１００によれば、符号化処理を行った元画像１１０に対応付けて、第１の本数と第２の本数とを出力することができる。これにより、画像処理装置１００は、符号化処理を行った元画像１１０に対して、復号化処理を行った後に、上部から除去するダミー画面ラインの第１の本数と、下部から除去するダミー画面ラインの第２の本数とを把握可能にすることができる。
【０１７３】
また、画像処理装置１００によれば、映像に含まれる複数の元画像１１０の入力を受け付けることができる。そして、画像処理装置１００によれば、符号化処理を行った元画像１１０のそれぞれを、映像における元画像１１０の表示順序にしたがって結合することができる。これにより、画像処理装置１００は、符号化処理が行われた映像を記憶しておくことができる。
【０１７４】
また、画像処理装置１００によれば、有効画面ラインの本数が２１６０本である元画像１１０を用いることができる。また、画像処理装置１００によれば、画面ラインの本数が３２本または６４本である符号化処理単位１２０を用いることができる。そして、画像処理装置１００によれば、入力を受け付けた元画像１１０のうち上部の部分画像１１１の上部に、１６本のダミー画面ラインを付加することができる。また、画像処理装置１００によれば、入力を受け付けた元画像１１０のうち下部の部分画像１１２の下部に、１６本のダミー画面ラインを付加することができる。これにより、画像処理装置１００は、８Ｋの元画像１１０に対して符号化処理を行うことができる。
【０１７５】
なお、本実施の形態で説明した画像処理方法は、予め用意されたプログラムをパーソナル・コンピュータやワークステーション等のコンピュータで実行することにより実現することができる。また、エンコーダ装置２２１は、４Ｋ処理用のＬＳＩであっても良い。本画像処理にかかるプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本画像処理にかかるプログラムは、インターネット等のネットワークを介して配布してもよい。
【０１７６】
上述した実施の形態に関し、さらに以下の付記を開示する。
【０１７７】
（付記１）少なくとも上下に２分割された元画像の入力を受け付け、
入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、
入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、
前記ダミー画面ラインを付加した前記部分画像のそれぞれに対して、前記符号化処理単位を用いて符号化処理を行う、
制御部を有することを特徴とする画像処理装置。
【０１７８】
（付記２）前記制御部は、
上下に２分割され、かつ、左右に２分割された前記元画像の入力を受け付ける、ことを特徴とする付記１に記載の画像処理装置。
【０１７９】
（付記３）前記制御部は、
符号化処理を行った前記部分画像のそれぞれを所定の順序にしたがって結合して、符号化処理を行った前記元画像を生成する、ことを特徴とする付記１または２に記載の画像処理装置。
【０１８０】
（付記４）前記制御部は、
符号化処理を行った前記元画像に対応付けて、前記第１の本数と前記第２の本数とを出力する、ことを特徴とする付記３に記載の画像処理装置。
【０１８１】
（付記５）前記制御部は、
映像に含まれる複数の前記元画像の入力を受け付け、
符号化処理を行った前記元画像のそれぞれを、前記映像における前記元画像の表示順序にしたがって結合する、ことを特徴とする付記３または４に記載の画像処理装置。
【０１８２】
（付記６）前記有効画面ラインの本数は、２１６０本であり、
前記画面ラインの本数は、３２本または６４本であり、
前記制御部は、
入力を受け付けた前記元画像のうち上部の部分画像については、１６本の前記ダミー画面ラインを、当該部分画像の上部に付加し、
入力を受け付けた前記元画像のうち下部の部分画像については、１６本の前記ダミー画面ラインを、当該部分画像の下部に付加する、ことを特徴とする付記１〜３のいずれか一つに記載の画像処理装置。
【０１８３】
（付記７）コンピュータが、
少なくとも上下に２分割された元画像の入力を受け付け、
入力を受け付けた前記元画像のうち上部の部分画像については、当該部分画像が有する有効画面ラインの本数と、当該部分画像が有する有効画面ラインの本数より大きい、符号化処理の一つの符号化処理単位が有する画面ラインの本数の整数倍との差分になる第１の本数のダミー画面ラインを、当該部分画像の上部に付加し、
入力を受け付けた前記元画像のうち下部の部分画像については、当該部分画像が有する有効画面ラインの本数と、当該部分画像が有する有効画面ラインの本数より大きい、前記符号化処理単位が有する画面ラインの本数の整数倍との差分になる第２の本数のダミー画面ラインを、当該部分画像の下部に付加し、
前記ダミー画面ラインを付加した前記部分画像のそれぞれに対して、前記符号化処理単位を用いて符号化処理を行う、
処理を実行することを特徴とする画像処理方法。
【符号の説明】
【０１８４】
１００  画像処理装置
１１０  元画像
１１１，１１２  部分画像
１２０  符号化処理単位
１３１，１３２  ダミー画面ライン
２００  画像処理システム
２１０  撮影機材
２２１，２２１Ａ〜２２１Ｄ  エンコーダ装置  
２２２  本体部
２３０  復号化処理装置
２４０  ネットワーク
３００，４００  バス
３０１，４０１  ＣＰＵ
３０２，４０２  メモリ
３０３  映像入力部
３０４  エンコーダブロック
４０３  ネットワークＩ／Ｆ
４０４  ディスクＩ／Ｆ
４０５  ディスクドライブ
５０１  入力部
５０２  付加部
５０３  符号化部
５０４  結合部
８００  合成部
９０１  映像入力部
９０２  ダミー生成部
１０００Ａ〜１０００Ｄ，１０００  シンタックス
Ａ〜Ｄ  部分画像
Ｐ  元画像
【国際調査報告】
2017158850.tif 000017
2017158850.tif 000018
2017158850.tif 000019
2017158850.tif 000020